(57)【要約】【課題】本発明は、無線通信システムにおいて、チャンネルの効率性を高めながら、ＣＱＩを送受信するようにする方法及び装置を提供する。【解決手段】本発明は、全体の周波数帯域を複数のサブ帯域に分割し、それぞれのサブ帯域を用いて通信する無線通信システムにおける端末のＣＱＩを受信するための方法であって、端末の速度状態を判断するステップと、判断された速度状態に従い、端末のためのＣＱＩを受信するか否か、及びＣＱＩの種類を決定するステップと、ＣＱＩを受信すると決定された場合、ＣＱＩの種類を示すＣＱＩ転送モードを端末に通報するステップと、ＣＱＩ転送モードに従い、端末から前記ＣＱＩを受信するステップと、受信されたＣＱＩを考慮して、端末に無線資源を割り当てるステップとを含む。【選択図】図７
2007068180.tif 000002
【特許請求の範囲】
【請求項１】
全体の周波数帯域を複数のサブ帯域に分割し、前記それぞれのサブ帯域を用いて通信する無線通信システムにおける端末のＣＱＩを受信するための方法であって、
端末の速度状態を判断するステップと、
前記判断された速度状態に従い、前記端末のためのＣＱＩを受信するか否か、及び前記ＣＱＩの種類を決定するステップと、
前記ＣＱＩを受信すると決定された場合、前記ＣＱＩの種類を示すＣＱＩ転送モードを前記端末に通報するステップと、
前記ＣＱＩ転送モードに従い、前記端末から前記ＣＱＩを受信するステップと、
前記受信されたＣＱＩを考慮して、前記端末に無線資源を割り当てるステップと、を含むことを特徴とするＣＱＩの受信方法。
【請求項２】
前記決定するステップは、
前記端末の速度状態がＬＳＳである場合、前記端末のためのＣＱＩとして、前記サブ帯域に対するチャンネル品質の平均値及び前記各サブ帯域に対するＣＱＩの少なくとも一つを使用するように決定するステップと、
前記端末の速度状態がＨＳＳである場合、前記端末のためのＣＱＩを報告しないように決定するステップと、
前記端末の速度状態が、ＵＳＳである場合、前記端末のためのＣＱＩとして、前記全体サブ帯域に対する平均値を使用するように決定するステップと、を含むことを特徴とする請求項１に記載のＣＱＩの受信方法。
【請求項３】
前記判断するステップは、前記端末から前記速度状態を示す指示情報が受信されたか否かを確認し、前記指示情報が受信されない場合、前記速度状態が前記ＵＳＳであると判断することを特徴とする、請求項２に記載のＣＱＩの受信方法。
【請求項４】
前記通報するステップは、前記端末の速度状態が前記ＵＳＳである場合、前記サブ帯域に対するチャンネル品質の平均値を転送するのに必要な資源を前記端末に割り当てて、前記割り当てられた資源を前記端末に通報することを特徴とする、請求項２に記載のＣＱＩの受信方法。
【請求項５】
前記通報するステップは、前記端末の速度状態が前記ＬＳＳである場合、前記サブ帯域に対するチャンネル品質の平均値及び前記各サブ帯域に対するＣＱＩの少なくとも一つを転送するのに必要な資源を前記端末に割り当てて、前記割り当てられた資源を前記端末に通報することを特徴とする、請求項２に記載のＣＱＩの受信方法。
【請求項６】
前記端末の速度状態が前記ＨＳＳである場合、前記ＣＱＩを受信しないと決定するステップをさらに含むことを特徴とする、請求項２に記載のＣＱＩの受信方法。
【請求項７】
前記端末の速度状態を決定するのに必要なパラメーターをシステム情報に載せて前記端末に提供するステップをさらに含むことを特徴とする、請求項１に記載のＣＱＩの受信方法。
【請求項８】
前記パラメーターは、第１のタイマー値と、前記第１のタイマー値に応じて前記ＬＳＳを決定する境界値になる第１の変更セルの個数と、第２のタイマー値と、前記第２のタイマー値に応じて前記ＨＳＳを決定する境界値になる第２の変更セルの個数とを含み、前記第２の変更セルの個数は前記第１の変更セルの個数よりも大きく設定されることを特徴とする、請求項７に記載のＣＱＩの受信方法。
【請求項９】
前記パラメーターは、第１のタイマー値と、前記第１のタイマー値に応じて前記ＬＳＳを決定する境界値になる、下りリンクパイロットチャンネルや前記サブ帯域に対する信号強度測定値の第１の標準偏差と、第２のタイマー値と、前記第２のタイマー値に応じて前記ＨＳＳを決定する境界値になる、下りリンクパイロットチャンネルや前記全体サブ帯域に対する信号強度測定値の第２の標準偏差とを含み、前記第２の標準偏差は前記第１の標準偏差よりも大きく設定されることを特徴とする、請求項７に記載のＣＱＩの受信方法。
【請求項１０】
前記パラメーターは、第１のタイマー値と、前記第１のタイマー値に応じて前記ＬＳＳを決定する境界値になる数値的な第１の平均速度と、第２のタイマー値と、前記第２のタイマー値に応じて前記ＨＳＳを決定する境界値になる数値的な第２の平均速度とを含み、前記第２の平均速度は前記第１の平均速度よりも大きく設定されることを特徴とする、請求項７に記載のＣＱＩの受信方法。
【請求項１１】
前記端末が目的基地局によって制御される目的セルにハンドオフすれば、前記端末の速度状態を前記目的基地局に通知するステップをさらに含むことを特徴とする、請求項１に記載のＣＱＩの受信方法。
【請求項１２】
全体の周波数帯域を複数のサブ帯域に分割し、前記それぞれのサブ帯域を用いて通信する無線通信システムにおける端末のＣＱＩを転送するための方法であって、
端末の速度状態を決定するステップと、
前記決定された速度状態が、以前の速度状態と異なる場合、前記決定された速度状態を前記基地局に通報するステップと、
前記基地局から前記決定された速度状態に従うＣＱＩ転送モードを指示する情報を受信するステップと、
前記ＣＱＩ転送モードに従い、前記サブ帯域に対するチャンネル品質の平均値及び前記各サブ帯域に対するＣＱＩの少なくとも一つを前記基地局に転送するステップと、を含むことを特徴とするＣＱＩの転送方法。
【請求項１３】
前記ＣＱＩ転送モードを指示する情報は、前記サブ帯域に対するチャンネル品質の平均値を転送するのに必要な資源を示す割当て情報、或いは、前記サブ帯域に対するチャンネル品質の平均値及び前記各サブ帯域に対するＣＱＩを転送するのに必要な資源を示す割当て情報であることを特徴とする、請求項１２に記載のＣＱＩの転送方法。
【請求項１４】
前記転送するステップは、
前記端末の速度状態がＬＳＳである場合、前記端末のためのＣＱＩとして、前記サブ帯域に対するチャンネル品質の平均値及び前記各サブ帯域に対するＣＱＩを転送するステップと、
前記端末の速度状態がＨＳＳである場合、前記端末のためのＣＱＩを報告しないように決定するステップと、
前記端末の速度状態が、前記ＬＳＳでも前記ＵＳＳでもないＵＳＳである場合、前記端末のためのＣＱＩとして、前記全体サブ帯域に対する平均値を転送するステップと、を含むことを特徴とする請求項１２に記載のＣＱＩの転送方法。
【請求項１５】
前記端末の速度状態を決定するのに必要なパラメーターをシステム情報を介して前記基地局から受信するステップをさらに含むことを特徴とする、請求項１２に記載のＣＱＩの転送方法。
【請求項１６】
前記決定するステップは、前記基地局により指示された第１のタイマーの間経由したセルの個数が前記基地局により指示された第１の変更セルの個数よりも小さい場合、前記速度状態をＬＳＳと決定し、前記基地局により指示された第２のタイマーの間経由したセルの個数が前記第１の変更セルの個数より大きい第２の変更セルの個数よりも大きい場合、前記速度状態をＨＳＳと決定し、その以外には前記速度状態をＵＳＳと決定することを特徴とする、請求項１２に記載のＣＱＩの転送方法。
【請求項１７】
前記決定するステップは、前記基地局により指示された第１のタイマーの間測定された、下りリンクパイロットチャンネルや前記サブ帯域に対する信号強度測定値の標準偏差が前記基地局により指示された第１の標準偏差よりも小さい場合、前記速度状態をＬＳＳと決定し、前記基地局により指示された第２のタイマー値の間測定された信号強度測定値の標準偏差が前記第１の標準偏差より大きい第２の標準偏差よりも大きい場合、前記速度状態をＨＳＳと決定し、その以外には前記速度状態をＵＳＳと決定することを特徴とする、請求項１２に記載のＣＱＩの転送方法。
【請求項１８】
前記決定するステップは、前記基地局により指示された第１のタイマーの間測定された数値的な平均速度が前記基地局により指示された第１の平均速度よりも小さい場合、前記速度状態をＬＳＳと決定し、前記基地局により指示された第２のタイマーの間測定された数値的な平均速度が前記第１の平均速度より大きい第２の平均速度よりも大きい場合、前記速度状態をＨＳＳと決定し、その以外には前記速度状態をＵＳＳと決定することを特徴とする、請求項１２に記載のＣＱＩの転送方法。
【請求項１９】
全体の周波数帯域を複数のサブ帯域に分割し、前記それぞれのサブ帯域を用いて通信する無線通信システムにおける端末のＣＱＩを送受信するための装置であって、
自身の速度状態を決定し、前記決定された速度状態が以前の速度状態と異なる場合、前記決定された速度状態を示す指示情報を転送する端末と、
前記指示情報により、前記端末のＣＱＩを受信するか否か、及び前記ＣＱＩの種類を決定し、前記ＣＱＩを受信すると決定された場合、前記ＣＱＩの種類を示すＣＱＩ転送モードを指示する情報を前記端末に通報し、前記ＣＱＩ転送モードによって前記端末から前記ＣＱＩを受信する基地局とを含み、
前記受信されたＣＱＩは、前記端末に無線資源を割り当てるために使用されることを特徴とするＣＱＩの送受信装置。
【請求項２０】
前記基地局は、
前記端末の速度状態がＬＳＳである場合、前記端末のためのＣＱＩとして、前記サブ帯域に対するチャンネル品質の平均値及び前記各サブ帯域に対するＣＱＩの少なくとも一つを使用するように決定し、
前記端末の速度状態がＨＳＳである場合、前記端末のためのＣＱＩを報告しないように決定し、
前記端末の速度状態がＵＳＳである場合、前記端末のためのＣＱＩとして、前記全体サブ帯域に対する平均値を使用するように決定することを特徴とする、請求項１９に記載のＣＱＩの送受信装置。
【請求項２１】
前記基地局は、前記端末から前記指示情報が受信されたか否かを確認し、前記指示情報が受信されない場合、前記端末の速度状態が前記ＵＳＳであると判断することを特徴とする、請求項２０に記載のＣＱＩの送受信装置。
【請求項２２】
前記基地局は、前記端末の速度状態を決定するのに必要なパラメーターをシステム情報に載せて前記端末に提供することを特徴とする、請求項１９に記載のＣＱＩの送受信装置。
【請求項２３】
前記パラメーターは、第１のタイマー値と、前記第１のタイマー値に応じて前記ＬＳＳを決定する境界値になる第１の変更セルの個数と、第２のタイマー値と、前記第２のタイマー値に応じて前記ＨＳＳを決定する境界値になる第２の変更セルの個数とを含み、前記第２の変更セルの個数は前記第１の変更セルの個数よりも大きく設定されることを特徴とする。請求項２２に記載のＣＱＩの送受信装置。
【請求項２４】
前記パラメーターは、第１のタイマー値と、前記第１のタイマー値に応じて前記ＬＳＳを決定する境界値になる、下りリンクパイロットチャンネルや前記サブ帯域に対する信号強度測定値の第１の標準偏差と、第２のタイマー値と、前記第２のタイマー値に応じて前記ＨＳＳを決定する境界値になる、下りリンクパイロットチャンネルや前記全体サブ帯域に対する信号強度測定値の第２の標準偏差とを含み、前記第２の標準偏差は前記第１の標準偏差よりも大きく設定されることを特徴とする、請求項２２に記載のＣＱＩの送受信装置。
【請求項２５】
前記パラメーターは、第１のタイマー値と、前記第１のタイマー値に応じて前記ＬＳＳを決定する境界値になる数値的な第１の平均速度と、第２のタイマー値と、前記第２のタイマー値に応じて前記ＨＳＳを決定する境界値になる数値的な第２の平均速度とを含み、前記第２の平均速度は前記第１の平均速度よりも大きく設定されることを特徴とする、請求項２２に記載のＣＱＩの送受信装置。
【請求項２６】
前記ＣＱＩ転送モードを指示する情報は、前記サブ帯域に対するチャンネル品質の平均値を転送するのに必要な資源を示す割当て情報、或いは、前記サブ帯域に対するチャンネル品質の平均値及び前記各サブ帯域に対するＣＱＩを転送するのに必要な資源を示す割当て情報であることを特徴とする、請求項１９に記載のＣＱＩの送受信装置。
【請求項２７】
前記端末は、前記基地局により指示された第１のタイマーの間経由したセルの個数が前記基地局により指示された第１の変更セルの個数よりも小さい場合、前記速度状態をＬＳＳと決定し、前記基地局により指示された第２のタイマーの間経由したセルの個数が前記第１の変更セルの個数より大きい第２の変更セルの個数よりも大きい場合、前記速度状態をＨＳＳと決定し、その以外には前記速度状態をＵＳＳと決定することを特徴とする、請求項１９に記載のＣＱＩの送受信装置。
【請求項２８】
前記端末は、前記基地局により指示された第１のタイマーの間測定された、下りリンクパイロットチャンネルや前記サブ帯域に対する信号強度測定値の標準偏差が前記基地局により指示された第１の標準偏差よりも小さい場合、前記速度状態をＬＳＳと決定し、前記基地局により指示された第２のタイマーの間測定された信号強度測定値の標準偏差が前記第１の標準偏差より大きい第２の標準偏差よりも大きい場合、前記速度状態をＨＳＳと決定し、その以外には前記速度状態をＵＳＳと決定することを特徴とする、請求項１９に記載のＣＱＩの送受信装置。
【請求項２９】
前記端末は、前記基地局により指示された第１のタイマーの間測定された数値的な平均速度が前記基地局により指示された第１の平均速度よりも小さい場合、前記速度状態をＬＳＳと決定し、前記基地局により指示された第２のタイマーの間測定された数値的な平均速度が前記第１の平均速度より大きい第２の平均速度よりも大きい場合、前記速度状態をＨＳＳと決定し、その以外には前記速度状態をＵＳＳと決定することを特徴とする、請求項１９に記載のＣＱＩの送受信装置。
【請求項３０】
前記基地局は、前記端末が目的基地局により制御される目的セルにハンドオフすれば、前記端末の速度状態を前記目的基地局に通知することを特徴とする、請求項１９に記載のＣＱＩの送受信装置。
【発明の詳細な説明】
【技術分野】
【０００１】
本発明は、無線通信システムに関し、特に、無線通信システムにおけるチャンネル品質情報(Channel Quality Information、以下、「ＣＱＩ」と称する。)を提供するための方法及び装置に関する。
【背景技術】
【０００２】
現代の通信システムは、大別すれば、有線通信システムと無線通信システムとに分けられる。無線通信システムは、多重化方法に従って多様な方式、例えば、時分割多重化(Time Division Multiplexing、以下、「ＴＤＭ」と称する。)方式、コード分割多重化(Code Division Multiplexing、以下、「ＣＤＭ」と称する。)方式及び直交周波数分割多重化(Orthogonal Frequency Division Multiplexing、以下、「ＯＦＤＭ」と称する。)方式などに分けられる。技術の急速な発展に伴い、最も広く使用されているものはＣＤＭ方式である。さらに、ＣＤＭ方式は、同期方式及び非同期方式などに分けられるが、現在、高速なデータ通信を提供できる多様な方式に発展した。
【０００３】
ところが、ＣＤＭ方式は、基本的に直交コードを用いてチャンネルを区分しているため、限定された直交コード資源による資源不足が発生する。よって、ＣＤＭ方式の代案としてＯＦＤＭ方式が台頭している。そこで、ＯＦＤＭ方式について説明する。ＯＦＤＭ方式は、マルチキャリア(Multi Carrier)を用いてデータを転送する方式であって、直列に入力されるシンボル(Symbol)列を並列変換して、これらの各々を互いに直交性を持つ多数のサブキャリア(sub-carrier)、すなわち、多数のサブキャリアチャンネル(sub-carrier channel)に変調して転送するマルチキャリア変調(Multi Carrier Modulation、以下、「ＭＣＭ」と称する。)方式の一種である。
【０００４】
ＭＣＭ方式を適用するシステムは、１９５０年代後半ＨＦ(High Frequency)ラジオ(radio)に最初適用され、多数の直交するサブキャリアを重畳させるＯＦＤＭ方式は、１９７０年代から発展し始めたが、マルチキャリア間の直交変調の具現が難しいため、実際のシステム適用に限界があった。しかしながら、１９７１年、Weinsteinなどが、ＯＦＤＭ方式を用いた変復調は、ＤＦＴ(Discrete Fourier Transform)を用いて効率良く処理できることを発表しながら、ＯＦＤＭ方式に対する技術開発が急速に発展して来た。また、公知の保護区間(guard interval)を用いる方法やサイクリック・プレフィックス(cyclic prefix、以下、「ＣＰ」と称する。)挿入方式により、マルチパス及び遅延拡散(delay spread)に対するＯＦＤＭシステムの否定的な影響を一層減少させるようになった。これにより、ＯＦＤＭ技術は、デジタルオーディオ放送(DAB:Digital Audio Broadcasting)、デジタルテレビ、無線近距離通信ネットワーク(WLAN:Wireless Local Area Network)及び無線非同期転送モード(WATM:Wireless Asynchronous Transfer Mode)などのデジタル転送技術に広く適用されている。
【０００５】
ＤＦＴ方式を用いる場合にも、ＯＦＤＭ方式はハードウェア的な複雑度(Complexity)によりあまり使用されていなかったが、最近、高速フーリエ変換(Fast Fourier Transform、以下、「ＦＦＴ」と称する。)及び逆高速フーリエ変換(Inverse Fast Fourier Transform、以下、「ＩＦＦＴ」と称する。)を含む各種デジタル信号処理技術の発展に伴い、ＯＦＤＭ方式が実現可能になった。
【０００６】
ＯＦＤＭ方式は、従来のＦＤＭ(Frequency Division Multiplexing)方式と類似しているが、特に、多数のサブキャリア間の直交性を保持して転送することで、高速データの転送に最適の転送効率が得られる。よって、ＯＦＤＭ方式は、周波数スペクトラムを重畳して使用するため、周波数の使用効率が良く、周波数選択的フェージング(frequency selective fading)に強く、マルチパスフェージング(multi-path fading)に強く、保護区間を用いてシンボル間干渉(ＩＳＩ：Inter Symbol Interference)の影響を低減でき、ハードウェア的に等化器構造を簡単に設計でき、インパルス(impulse)性ノイズに強いという長所を持つことで、通信システム構造に積極的に活用されつつある。
【０００７】
一方、無線通信における高速及び高品質のデータサービスを妨害する要因は、殆どチャンネル環境による。無線通信におけるチャンネル環境は、ＡＷＧＮ (Additive White Gaussian Noise)の以外にも、フェージングにより発生する受信信号の電力変化、シャドーイング(Shadowing)、端末の移動及び頻繁な速度変化に従うドップラー(doppler)効果、他のユーザー及びマルチパス信号による干渉などにより頻繁に変化することになる。よって、無線通信における高速及び高品質のデータサービスを支援するには、前述した妨害要因を效果的に克服する必要がある。無線通信システムにおけるフェージングを克服するために用いられる主要な方法の一つが、ＡＭＣ(Adaptive Modulation and Coding)方式である。以下では、ＡＭＣ方式について説明する。
【０００８】
ＡＭＣ方式は、無線リンクのチャンネル変化により、変調方式とコーディング方式とを適応的に調整するものである。無線リンクのＣＱＩは、殆ど受信信号のＳＮＲ(Signal to Noise Ratio)の測定によって検出できる。一例として、下りリンクの場合、端末は下りリンクのＣＱＩを測定して上りリンクを介して基地局にフィードバックする。基地局は、端末からフィードバックされる下りリンクのＣＱＩにより下りリンクのチャンネル状態を推定し、推定されたチャンネル状態に応じて変調方式及びコーディング方式を調整する。ＡＭＣ技術を使用する場合、一般的にチャンネルの状態が比較的良好であれば高次変調方式及び高符号率を適用し、チャンネルの状態が比較的劣化すれば低次変調方式及び低符号率を適用する。このように、ＡＭＣ方式は、高速電力制御に依存した既存方式に比べ、チャンネルの経時変化に対する適応能力を高めることにより、システムの平均性能を向上させる。
【０００９】
一般的に、広帯域システムでは、ＡＭＣチャンネルを一つだけ使用するものでなく、複数のＡＭＣチャンネルを同時に運用する。すなわち、システムの全体の周波数帯域を複数のサブ帯域に分割し、それぞれのサブ帯域に対して個別的なＣＱＩを端末からフィードバックして、それぞれのサブ帯域に対して独立的にＡＭＣ技術を適用する方式を利用する。これは、広帯域システムが、狭帯域システムに比べ、周波数の選択性(Frequency Selectivity)が大きいためである。以下では、ＡＭＣ技術がＯＦＤＭシステムに適用される場合について説明する。
【００１０】
図１は、ＡＭＣ技術を用いる通常の広帯域ＯＦＤＭシステムの一例を示す図であって、多数の直交周波数を縦軸とし、時間を横軸として示した。
図１において、符号１０１は一つのサブキャリアを示し、符号１０２は一つのＯＦＤＭシンボルを示す。図１に示すように、ＯＦＤＭシステムでは、全体の周波数帯域をＮ個のサブキャリア群、すなわち、サブ帯域に分割して各サブキャリア群別にＡＭＣ動作を行う。以下では、一つのサブキャリア群を“一つのＡＭＣサブ帯域(AMC sub-band)”と称する。すなわち、サブキャリア群１(subcarrier group 1)１０３はＡＭＣサブ帯域１と称し、サブキャリア群Ｎ(１０４)はＡＭＣサブ帯域Ｎと称する。一般のＯＦＤＭシステムにおいて、資源の割当てすなわちスケジューリングは、符号１０５に示すように、複数個のＯＦＤＭシンボルを含む再割当て周期単位からなる。
【００１１】
前述したように、ＯＦＤＭシステムにおけるＡＭＣ動作は、複数のＡＭＣスケジューリング別に独立的に適応及びコーディング(ＡＭＣ動作)を行う。よって、各端末はスケジューリング別にＣＱＩをフィードバックし、基地局は端末から各スケジューリングに対するＣＱＩを受けて各サブ帯域に対するスケジューリングを行い、各サブ帯域別にユーザーデータを転送する。スケジューリングの一例として、基地局は、各サブ帯域別に最上のチャンネル品質を持つ端末を選択してデータを転送する場合、システムの容量は最大化になり得る。
【００１２】
前述したＡＭＣ動作の特徴によれば、一つの端末に対するデータを転送するために必要な複数のサブキャリアは互いに隣接しているのが好ましい。これは、マルチパス無線チャンネルにより、周波数領域において周波数選択性が発生する場合、互いに隣接しているサブキャリア間はチャンネル応答の特性が類似しているが、遠く離れているサブキャリア間はチャンネル応答の特性が非常に異なることができるためである。また、前述したＡＭＣ動作を行う目的は、チャンネル応答が良いサブキャリアを介してデータを転送することで、システム容量を極大化することにあるため、チャンネル応答が良い隣接した複数のサブキャリアを介してデータ転送を行う構造を持つのが好ましい。
【００１３】
よって、前述したＡＭＣ技術は、特定ユーザーに転送されるデータ送信に適している。これは、複数のユーザーに転送されるチャンネル、例えば、放送や共通制御チャンネルはあるユーザーのチャンネル状態に適応するのが好ましくないためである。また、前述したＡＭＣ技術は、遅延(Delay)に少なく敏感なトラフィックの転送に適している。なぜなら、ＡＭＣ技術は、基本的にチャンネルが良い状態にある端末にデータを転送するようにする方式なので、遅延に敏感なトラフィック、例えば、ＶｏＩＰ(VoiceoverIP)や画像ミーティングのようなリアルタイムトラフィックは当該ユーザーのチャンネルが良くなるまでひたすら待機させることができないためである。すなわち、リアルタイムトラフィックをサービスしているユーザーに対しては、遅延の限界を保証するために、チャンネルがよくない状況でもデータを転送しなければならないという問題点がある。
【発明の開示】
【発明が解決しようとする課題】
【００１４】
よって、前記問題点を解決するために、本発明の目的は、広帯域のＯＦＤＭに基づいたシステムにおいて、ＡＭＣ技術を適用する場合、各ＡＭＣサブ帯域のＣＱＩを適応的に転送及び受信できる方法及び装置を提供することにある。
【００１５】
本発明の他の目的は、端末が、チャンネル状況に従ってＣＱＩを転送したり転送しないことで、ＣＱＩの転送に従うオーバーヘッドを減少できる方法及び装置を提供することにある。
【００１６】
本発明の更に他の目的は、ＣＱＩ転送モードを決定するための一つの要素として、端末の速度状態を複数のレベルの一つに定義し、各レベルによって端末のＣＱＩを測定及び報告する方法及び装置を提供することにある。
【００１７】
本発明の更に他の目的は、端末のＣＱＩ転送モードに対する情報を、端末のハンドオーバー時に目的セルを制御するノードに転送することで、ＣＱＩの適応的な転送を連続的に支援する方法及び装置を提供することにある。
【００１８】
本発明の更に他の目的は、広帯域のＯＦＤＭに基づいたシステムにおいてＡＭＣ技術を適用する場合、正確且つ効率良くＣＱＩを提供する方法及び装置を提供することにある。
【００１９】
本発明の更に他の目的は、広帯域のＯＦＤＭに基づいたシステムにおいてＡＭＣ技術を適用する場合、各ＡＭＣサブ帯域のＣＱＩを正確且つ効率良く提供することにより、システム容量を増大させる方法及び装置を提供することにある。
【課題を解決するための手段】
【００２０】
前記目的を達成するために、本発明は、全体の周波数帯域を複数のサブ帯域に分割し、前記それぞれのサブ帯域を用いて通信する無線通信システムにおける端末のＣＱＩを受信するための方法であって、端末の速度状態を判断するステップと、前記判断された速度状態に従い、前記端末のためのＣＱＩを受信するか否か、及び前記ＣＱＩの種類を決定するステップと、前記ＣＱＩを受信すると決定された場合、前記ＣＱＩの種類を示すＣＱＩ転送モードを前記端末に通報するステップと、前記ＣＱＩ転送モードに従い、前記端末から前記ＣＱＩを受信するステップと、前記受信されたＣＱＩを考慮して、前記端末に無線資源を割り当てるステップとを含むことを特徴とする。
【００２１】
また、本発明は、全体の周波数帯域を複数のサブ帯域に分割し、前記それぞれのサブ帯域を用いて通信する無線通信システムにおける端末のＣＱＩを転送するための方法であって、端末の速度状態を決定するステップと、前記決定された速度状態が、以前の速度状態と異なる場合、前記決定された速度状態を前記基地局に通報するステップと、前記基地局から前記決定された速度状態に従うＣＱＩ転送モードを指示する情報を受信するステップと、前記ＣＱＩ転送モードに従い、前記サブ帯域に対するチャンネル品質の平均値及び前記各サブ帯域に対するＣＱＩの少なくとも一つを前記基地局に転送するステップと、を含むことを特徴とする。
【００２２】
また、本発明は、全体の周波数帯域を複数のサブ帯域に分割し、前記それぞれのサブ帯域を用いて通信する無線通信システムにおける端末のＣＱＩを送受信するための装置であって、自身の速度状態を決定し、前記決定された速度状態が以前の速度状態と異なる場合、前記決定された速度状態を示す指示情報を転送する端末と、前記指示情報により、前記端末のＣＱＩを受信するか否か、及び前記ＣＱＩの種類を決定し、前記ＣＱＩを受信すると決定された場合、前記ＣＱＩの種類を示すＣＱＩ転送モードを指示する情報を前記端末に通報し、前記ＣＱＩ転送モードによって前記端末から前記ＣＱＩを受信する基地局とを含み、前記受信されたＣＱＩは、前記端末に無線資源を割り当てるために使用されることを特徴とする。
【発明の効果】
【００２３】
本発明によれば、ＣＱＩ転送モードを３レベルに区分された端末の速度状態によって選択したり、或いは、ＣＱＩの転送を遂行しないことで、上りリンク及び下りリンクの負荷の最小化、且つ、システム容量の最大化を図ることができる。また、端末の移動時、ＣＱＩ転送モードを決定するのに必要な情報を目的セルを制御する基地局に転送することで、上りリンク及び下りリンクの負荷の最小化、且つ、システム容量の最大化を持続させることができる。
【発明を実施するための最良の形態】
【００２４】
以下、本発明の好適な実施形態について添付図面を参照しながら詳細に説明する。なお、下記の説明において、本発明の要旨のみを明瞭にするために、公知の機能や構成についての具体的な説明は適宜省略する。また、後述される用語は、本発明の機能を考慮して定義されたもので、これは、ユーザーや運用者の意図又は慣例などによって変化し得るため、本明細書の全般に渡った内容に基づいて定義されるべきである。
【００２５】
まず、本発明の実施形態によるＯＦＤＭシステムにおいて考慮すべき事項について説明する。複数のサブ帯域を使用して動作するＯＦＤＭシステムを設計・運用の際に考慮すべき事項は、次の通りである。
【００２６】
第一に、全体のシステム帯域を何個のサブ帯域に分割するか、すなわち、サブ帯域の個数Ｎを何個とするかに対する問題を解決すべきである。第二に、各端末が、Ｎ個のサブ帯域の全部に対してＣＱＩをフィードバックするようにするか、一部に対してフィードバックするようにするか、全体又は一部に対する平均値だけをフィードバックするようにするかに対する問題を解決すべきである。
【００２７】
ＯＦＤＭシステムにおいて、前述した事項らが重要である理由は、次の通りである。
第一に、全体のシステム帯域を何個のサブ帯域に分割するかに対する問題は、チャンネルの周波数選択性を最大限活用するためである。より詳しくは、特定周波数帯域でチャンネル品質が良いサブキャリアだけを使用してデータを転送することが効果的なためである。このためには、Ｎ値を非常に大きく、極端的には全体サブキャリアの個数だけ設定することが最善である。しかしながら、Ｎ値を過度に大きく設定する場合、端末がフィードバックすべきＣＱＩの個数が多くなるので、上りリンクの負荷が大きすぎる恐れがある。
【００２８】
例えば、端末が一つのサブ帯域に対するＣＱＩを転送するのに必要なビット数を４とすれば、１０個のサブ帯域に対するＣＱＩをフィードバックするには４０ビットを必要とし、ＣＱＩの転送周期は高速フェージングにより非常に短くなることを勘案する場合、オーバーヘッドの量が非常に多くなり得る。
【００２９】
反対に、全体のシステム帯域を非常に小さな数字(すなわち、Ｎ個)に分割する場合、それだけチャンネルの周波数選択性を適切に活用出来ないため、ＡＭＣ動作から得られる利得が減少する。前述したように、全体のシステム帯域を何個に分割するかに対する問題は、下りリンク性能と上りリンク負荷との間にトレードオフ(trade off)関係が成立する。よって、下りリンク性能の向上及び上りリンク負荷の減少という２種類のコンフリクトする目標間に偏ることがなく、適切なＮ値に設定しなければならない。
【００３０】
第二に、各端末が、Ｎ個のサブ帯域の全部に対してＣＱＩをフィードバックするようにすることか、一部を選んでフィードバックするようにするか、全体又はＮ個の一部に対する平均値だけをフィードバックするようにすることかを解決すべきである。これは、全体のシステム帯域がＮ個のサブ帯域に分割される場合、端末がどのようにＣＱＩをフィードバックするようにするかという問題である。例えば、全体のシステム帯域が４個のサブ帯域に分割される場合、端末がＣＱＩをフィードバックできる場合は、下記のようにあり得る。
【００３１】
第一の方法は、端末が常に４個のサブ帯域に対してそれぞれのＣＱＩをフィードバックするものである。第二の方法は、端末が４個のサブ帯域に対して瞬間的に最も良い一つだけを選択し、選択されたサブ帯域の識別子と共に選択されたサブ帯域のＣＱＩをフィードバックするものである。第三の方法は、端末が４個のサブ帯域に対して瞬間的に最も良いＫ個だけを選択し(Ｋは最大４になる)、選択されたＫ個のサブ帯域に対してそれぞれの識別子と共に選択されたＫ個のサブ帯域のＣＱＩをフィードバックするものである。第四の方法は、端末が４個のサブ帯域に対する平均ＣＱＩをフィードバックするものである。第五の方法は、端末が４個のサブ帯域の中にＫ個を選択し(Ｋは最大４になる)、選択されたＫ個のサブ帯域に対する平均ＣＱＩをフィードバックするものである。
【００３２】
これ以外にも、４個のサブ帯域に対するＣＱＩをフィードバックする多様な方法が更に在り得る。以下ではそれぞれの方法を“ＣＱＩ転送モード”と称する。更に“ＣＱＩ転送モード”はＣＱＩを転送しない場合も含むことができる。多様なＣＱＩ転送モードも、下りリンク性能の向上と下りリンク負荷の増加という互いにコンフリクトする面を持つ。
【００３３】
前述した例から、端末が常に４個のサブ帯域に対してそれぞれのＣＱＩをフィードバックする場合、基地局は全ての端末に対して各サブ帯域のＣＱＩを全部分かるが、逆方向の負荷が大きくなる。反対に、端末が何れか一つの帯域を選択してフィードバックする場合、逆方向の負荷は相対的に低減するが、基地局の立場では端末のＣＱＩの何れか一つのサブ帯域に対するＣＱＩだけを持つようになり、残りのサブ帯域に対するＣＱＩは分からない。このため、ＯＦＤＭシステムにおいてＣＱＩをより効率良く転送する必要がある。
【００３４】
本発明の実施形態では、下記表１のように多様なモードを備え、その中で最適なモードを選択して使用するようにする。
【００３５】
【表１】
2007068180.tif 000003
【００３６】
上記表１は、多様な環境により好ましいＣＱＩ転送モードが変化することを示す。上記表１の“k out of N”は、全体帯域がＮ個のサブ帯域に分割される場合、端末はＮ個のサブ帯域のうちで、チャンネル状態が相対的に良いＫ個を選択し、選択されたＫ個に対するＣＱＩをフィードバックすることを示す。ここで、Ｋは、1と同一又は大きくて、Ｎと同一又は小さな整数である。また、上記表１の“平均値”は、各サブ帯域に対するＣＱＩを別にフィードバックするものではなく、全体帯域に対するＣＱＩの平均値又は一部のサブ帯域に対するＣＱＩの平均値を転送することを示す。
【００３７】
上記表１を参照して、多様な環境による好ましいＣＱＩ転送モードを説明する。
下りリンクの負荷が低い場合、システム内にサービスすべきユーザー数が少なくて一つのユーザーに複数個のサブ帯域を割り当てる確率が高いので、各端末に全ての帯域に対するＣＱＩを要求するのが好ましい。反対に、下りリンクの負荷が高い場合、システム内にサービスすべきユーザー数が多くて一つのユーザーに複数個のサブ帯域を割り当てる確率が低いので、各端末に全てのサブ帯域に対するＣＱＩをフィードバックする転送モードを選択する。すなわち、端末は、全体Ｎ個のサブ帯域のうちで、状態が良い一部だけを選択し、それに相応するＣＱＩだけをフィードバックすることで、上りリンクの負荷を低減する。
【００３８】
また、上りリンクの負荷が低い場合、端末がフィードバックするＣＱＩの量が多くなっても大きく無理はないため、基地局に多くの情報を転送できるように、出来る限り多くのサブ帯域に対するＣＱＩを転送する転送モードを選択する。反面、上りリンクの負荷が高い場合、端末がフィードバックするＣＱＩが多くなれば、上りリンクの負荷を一層増加させるため、出来る限り少ない負荷を発生させる転送モードを選択する。
【００３９】
一方、端末の速度が高い場合はＡＭＣ動作が正しく行われない。なぜなら、端末の速度が高ければ端末のチャンネル状態が速く変化するためである。すなわち、端末がＣＱＩを測定してフィードバックしたフィードバック情報に基づいて決定されたＡＭＣデータが、実際に転送される時点ではチャンネル状況が相当に変化して、チャンネルに対する適応度が低くなるためである。よって、端末の速度が高い場合、巡視的なＣＱＩはあまり必要なく、速いチャンネル変化に従うＣＱＩの平均値だけを報知する場合と、ＣＱＩの毎巡視値を報知する場合とのＡＭＣ性能に差異がないため、上りリンクの負荷を小さく発生させるモードを選択するのが好ましい。
【００４０】
反面、端末の速度が低い場合は、ＡＭＣの使用に適切な環境なので、他の要件を考慮して転送モードを決定するのが好ましい。例えば、高いクラスの端末、すなわち多くの課金をするユーザー或いは他のシステム運用政策上優先権を付与したい端末には、逆方向の負荷をより多く発生させても、多くのＣＱＩを基地局にフィードバックするようにする転送モードを選択することで、サービスを受ける観点で最適な条件を揃えることができる。反面、低いクラスの端末には、相対的に少ない上りリンクの負荷を発生させる転送モードを選択するのが好ましい。
【００４１】
また、ＣＱＩ転送モードは、サービス種類によって変化することができる。例えば、遅延に敏感なリアルタイムトラフィックをサービスする場合、ＶｏＩＰの場合のように、データ量自体は大きくないと、端末にＮ個のサブ帯域の中の最上の品質を持つサブ帯域の一つを選択してフィードバックするようにすることが、要求されたサービス品質(Quality of Service；以下、「ＱｏＳ」と称する。)を満たしながらサービスをよく支援できる。このようなトラフィックに対し、敢えて多くのサブ帯域に対するＣＱＩをフィードバックするようにして上りリンクの負荷を増大させる必要はない。
【００４２】
反面、リアルタイムトラフィックの場合にも、画像会議のためのトラフィックのように、相対的に多くの帯域を要求するトラフィックに対しては、ＣＱＩをフィードバックするサブ帯域の個数をより増大させることが好ましい。サービス遅延時間に対する敏感度が比較的鈍感なトラフィックに対しては、リアルタイムトラフィックのように、平均要求転送率を考慮するが、他の要件を考慮してより自由に決定できる。
【００４３】
前述した過程によって動作するための基地局及び端末の構成について簡略に説明し、以後、本発明の実施形態によってＡＭＣを適用するためのＣＱＩ転送モードの設定及び変更について説明する。
【００４４】
図２は、本発明の実施形態によるＡＭＣ動作によってＣＱＩ転送モードを決定するための基地局のブロック構成図である。以下、図２を参照して本発明による基地局の動作について説明する。
【００４５】
上位ノードと連結する上位階層インターフェース２１３は、上位ノード例えばコアネットワークノードと送受信されるデータの連動のためにデータを処理する動作を行う、すなわち、上位ノードから各種シグナルリング信号及びデータ信号を受信し、受信された信号のうち、端末に転送するデータ信号はデータ処理部２１４に提供し、シグナルリング信号は制御部(連結を図示せず)２１１に提供する。また、上位階層インターフェース２１３は、データ処理部２１４から受信されたデータの形式を変換して上位ノードに伝達する。データ処理部２１４は、制御部２１１の制御により、上位階層インターフェース２１３から受信されたデータを多重化器２１５に出力する。ここでは、データ処理部２1４に対して下方にデータを送信する場合のみに対して説明する。
【００４６】
制御部２１１は、スケジューリング及び基地局の各種制御を担当し、本発明の実施形態によってＣＱＩ転送モードを決定し、これに対するメッセージを生成して多重化器２１５に出力する。また、制御部２１１は、チャンネルの状態に対するＣＱＩを受信するために、無線部(RF(Radio Frequency) Unit)２１６及び／又はデータ処理部２１４から上りリンク及び下りリンクの負荷情報が得られる。このように、上りリンク及び下りリンクの負荷情報を得る方法は多様に利用されるが、各システムごとに情報を得る方法が異なるため、その詳細な説明は省略する。このように、制御部２１１は、ＣＱＩ転送モードを決定するのに必要な情報をデータベース２１２から提供される。データベース２１２は、各端末のクラス情報や各端末でサービスされるデータ情報のＱｏＳ情報など、ＣＱＩ転送モードを決定するのに必要な情報を格納し、制御部２１１に提供する。また、データベース２１２は、現在サービスされるユーザーの情報のみを格納し、全ての情報に対しては上位ネットワークの特定ノードで管理するように構成することができる。
【００４７】
多重化器２１５は、データ処理部２１４及び制御部２１１から受信されたデータを多重化して無線部２１６に出力する。その後、無線部２１６は、各システムに従う転送形式にデータを加工し、無線帯域の信号に上昇変換を行う。ＯＦＤＭシステムを例として説明すれば、多重化器２１５は、入力されたデータを変調してからＩＦＦＴを行い、更にＣＰを付加した後、送信帯域に変換して転送する動作を行う。このような基地局の実際の動作は、後述するフローチャートを参照して、詳細に説明する。
【００４８】
図３は、本発明の実施形態によるＣＱＩを転送する端末のブロック構成図である。図３を参照して、本発明の実施形態による端末の動作を、簡単に説明する。
無線部３１２は、無線帯域の信号を下り変換し、下り変換した受信信号を基底帯域処理部３１３に提供する。その後、基底帯域処理部３１３は、システムの提供方式によって受信信号をデータシンボルに変換する。例えば、ＯＦＤＭシステムの場合、基底帯域処理部３１３は、受信信号からＣＰを除去し、ＦＦＴを行った後、復調する動作を行う。基底帯域処理部３１３から送信する場合は、図２の送信処理と同様な過程の動作を行う。このように、基底帯域処理部３１３で処理された受信データは、制御部３１１に入力される。
【００４９】
一方、無線部３１２は、受信信号の一部をチャンネル品質測定部３１４に提供する。無線チャンネル品質測定部３１４は、受信信号を用いてＣＱＩを測定し、制御部３１１に提供する。これにより、制御部３１１は、測定された全てのＣＱＩのうちで選択された情報、すなわち、基地局と協議されたり基地局から通知されたＣＱＩだけを逆方向に転送する。このとき、制御部３１１は、選択されたＣＱＩを転送するためのメッセージを生成し、基底帯域処理部３１３に出力することにより、ＣＱＩの逆方向転送を行う。
【００５０】
一般に、端末は、ユーザーデータ及び制御データなどを格納するメモリ３１５と、ユーザーとのインターフェースのためにユーザーが入力するキー信号を発生して、制御部３１１に提供するキー入力部３１７と、文字又は絵などを介してユーザーに端末の状態などを報知するための表示部３１６とを備える。
【００５１】
また、端末は、後述する本発明の実施形態によって端末の移動性を測定する移動性測定部３１８をさらに備える。移動性測定部３１８は、基地局から指示されたり自体設定されたタイマーを管理しながら、各タイマーが駆動される間経由するセルの個数、下りリンクパイロットチャンネルや全体周波数帯域に対する信号強度の標準偏差、数値的な平均速度などに示す端末の移動性値を測定して格納する。制御部３１１は、移動性測定部３１８により測定された移動性値に基づいて端末の速度状態を決定し、速度状態を基地局に報告し、速度状態に従って基地局から指示されたＣＱＩ転送モードによってＣＱＩを報告する。端末の速度状態を決定する具体的な動作は、後述する。
【００５２】
前述した多様な環境によって好ましいＣＱＩ転送モードが変化することを確認した。一つのシステムにおいて状況に従って適応的に転送モードを変更するための制御過程及び信号流れの過程について説明する。まず、図４を参照して、本発明の実施形態によるＣＱＩ転送モードの決定について説明する。
【００５３】
図４は、本発明の実施形態による無線通信システムにおいてＣＱＩ転送モードを決定するためのフローチャートである。前述したように、システムには多様なＣＱＩ転送モードが存在する。
基地局は、端末と通信を行うとき、段階Ｓ４００において多様なモードの一つのＣＱＩ転送モードを決定する。すなわち、前述した表１の内容に基づいて一つの転送モードを選択する。このような転送モードの選択は、端末と基地局間交渉により決定できる。端末は、段階Ｓ４００において決定された転送モードに従ってＣＱＩの転送動作を行う。続いて、基地局は、段階Ｓ４１０において決定されたＣＱＩ転送モードに従って端末からＣＱＩを受信する。その後、基地局は、ＣＱＩを受信して最も良いチャンネル(すなわち、少なくとも一つのサブ帯域)を選択し、選択されたチャンネルを用いて端末にデータを送信する。
【００５４】
一方、端末又は基地局からチャンネルの品質を判断する途中に、ＣＱＩ転送モードの変更を必要とする場合があり得る。例えば、段階Ｓ４２０において、端末が呼連結中にチャンネル環境など自身の状態変化によって必要であると判断される場合、使用中であったＣＱＩ転送モードを他のモードに変更することを要請できる。同様に、基地局で上りリンク又は下りリンクのチャンネル環境が変更されたと判断される場合、ＣＱＩ転送モードを他のモードに変更することを端末に要請する。段階Ｓ４３０において基地局と端末との間に再協議を介してＣＱＩ転送モードが変更される。仮に、基地局で必要であると判断される場合には使用中であったＣＱＩ転送モードを他のモードに変更することを端末に命令して再協議なしに変更するように命令できる。命令過程は、次のような方法により行われる。
【００５５】
（１）基地局は、一つの特定端末にＣＱＩ転送モードを変更することを命令したり、或いは、再協議過程により変更する。
（２）基地局は、一部の端末にＣＱＩ転送モードを変更することを命令する。
（３）基地局は、システム内の全ての端末にＣＱＩ転送モードを変更することを命令する。
【００５６】
上記命令は、共通制御情報(Common control information)の転送によりなされる。このような過程は、一つのシステムで全部使用されることができ、一部が省略されることもできる。例えば、呼連結中には転送モードの変更が制限される。
【００５７】
本発明の実施形態で提案するＣＱＩ転送方法の一つは、多様なＣＱＩ転送モードを備えるが、各基地局ごとに自身の状況に従って何れか一つを選択して、全ての端末が同じ転送モードを使用するようにするものである。
【００５８】
このとき、一つのシステムに多様なＣＱＩ転送モードを備えるが、基地局は一つの転送周期の間一つのＣＱＩ転送モードを使用する。すなわち、一つの転送周期の間多様な転送モードを使用せず、基地局がサービスする全ての端末が同じ転送モードを使用する。このために、基地局は、多様なＣＱＩ転送モードのどれが使用されるかをサービス中である端末に報知する。基地局で転送モードを変更したい場合、基地局はブロードキャスト(Broadcast)メッセージを介して変更された転送モードをサービス中である全ての端末に報知する。すなわち、変更された転送モードについての情報を全ての端末が共有できるように、基地局はブロードキャストメッセージを使用する。
【００５９】
図５は、本発明の実施形態による端末要請に従う転送モードの変化を示すメッセージのフローチャートである。
図５によれば、上記表１を参照して、ＣＱＩ転送モードの変更が必要であると判断される場合、例えば、端末のチャンネル環境が高速チャンネルに変更された場合、端末は、段階Ｓ５００において“ＣＱＩ転送モード変更要請”メッセージを基地局に転送する。メッセージは、端末が所望する転送モードを示す“選好モード(preferred mode)”情報を含むことが好ましい。基地局は、選好モード情報を含むＣＱＩ転送モード変更要請メッセージを受信すれば、上記表１のような多くの要因を考慮して、要請に対する承認又は拒絶を決定し、段階Ｓ５０２において決定の結果を示す承認又は拒絶メッセージを生成して端末に転送する。
【００６０】
要請が承認される場合、承認メッセージは、決定されたモード情報と共にモード変更時点情報を含む。基地局からモード変更承認又は拒絶のメッセージを受信した端末は、段階Ｓ５０４において基地局にメッセージを成功的に受信したことを報知するために、“ＡＣＫ(Acknowledgement)メッセージ”を転送する。その後、端末は、段階Ｓ５０６において承認メッセージが指示するモード変更時点になれば、基地局が命令した転送モードに設定してＣＱＩを転送する。
【００６１】
図６は、本発明の実施形態による基地局の命令に従う転送モードの変化を示すメッセージのフローチャートである。図６は、基地局によってＣＱＩ転送モードを変更することを命令したり、或いは、基地局がＣＱＩ転送モードに対する変更情報をブロードキャストして通報する場合のフローチャートである。
【００６２】
基地局は、前述した表１を参照して、端末の転送モードを決定し、段階Ｓ６００において“ＣＱＩ転送モード変更命令”メッセージを端末に転送する。メッセージは、新しい転送モードを示す転送モード情報及び変更時点情報を含む。端末は、基地局からＣＱＩ転送モード変更命令メッセージを受信すれば、段階Ｓ６０２において基地局にメッセージを成功的に受信したことを報知するために、“ＡＣＫメッセージ”を転送する。その後、端末は、ＣＱＩ転送モード変更命令メッセージが指示するモード変更時点になれば、段階Ｓ６０４において基地局が命令した新しい転送モードに変更する。
【００６３】
以下では、ＣＱＩ転送モードを決定する要素のうち、端末の速度についての実施形態を説明する。前述したように、ＣＱＩ転送モードを決定する要素には、“下りリンク／上りリンクの負荷”、“サービス種類／ＱｏＳ”、“端末の速度”、“端末のクラス”などがある。このうち、可変性を持つ代表的な情報が“端末の速度”である。よって、“端末の速度”情報に基づいてＣＱＩ転送モードを決定する実施形態と、ハンドオーバーのような端末の移動性を考慮してＣＱＩ転送モードを支援する実施形態とについて説明する。同様に、以下では、全体の周波数帯域がＡＭＣのためのＮ個のサブ帯域(すなわち、ＡＭＣサブ帯域)に分割されることを説明する。ここで、それぞれのサブ帯域は、一つ或いはそれ以上の連続的又は不連続的なサブキャリアを含む。
【００６４】
図７は、本発明の実施形態により、端末の速度に従ってＣＱＩ転送モードを決定するとき、端末の速度状態に従って可能なＣＱＩ転送モードを示す。ここでは、代表例として３レベルの速度状態を定義し、各レベルの速度状態に従って互いに異なるＣＱＩ転送モードを使用する場合を説明する。
【００６５】
図７によれば、参照符号７０１は、端末がＬＳＳ(Low Speed Status)であることを示す。ＬＳＳ(７０１)は、端末のチャンネル環境が急激に変化することなく、安定的な確率が高いことを意味し、このときにはＮ個のサブ帯域の全体に対するチャンネル品質の平均値をＣＱＩにフィードバックするだけでなく、Ｋ(＝Ｎ−Ｍ)個(ここで、ＭはＮより小さい負でない整数、Ｋは１と同一又は大きく、Ｎと同一又は小さい整数)のサブ帯域の各々に対するＣＱＩもフィードバックする。他の場合、ＬＳＳ(７０１)においてＫ個のサブ帯域の各々に対するＣＱＩだけがフィードバックされる。
【００６６】
ＣＱＩ転送モードが“端末の速度”の以外の他の要因により制限されない場合、Ｋ個のサブ帯域に対するＣＱＩをＬＳＳ(７０１)でフィードバックするのが可能である。例えば、端末がＬＳＳ(７０１)でも“下りリンクの負荷”又は端末が要請したサービスの“ＱｏＳ”によりサブ帯域が割り当てられない場合、端末はＫ個のサブ帯域に対するＣＱＩをフィードバックせず、Ｎ個のサブ帯域に対する平均値だけをフィードバックすることができる。
【００６７】
すなわち、ＬＳＳ(７０１)は、端末の低速移動を示し、このときには、ＣＱＩとしてＮ個のサブ帯域に対する平均値及び／又はＫ個のサブ帯域の各々に対するＣＱＩがフィードバックされる。ここで、ＣＱＩ転送モードを決定するとき、“端末の速度”の以外に他の要因を考慮できる。すなわち、ＬＳＳ(７０１)では、他の要因によりＣＱＩの転送が制限されない場合、ＣＱＩが転送されることができる。
【００６８】
Ｎ個のサブ帯域に対するチャンネル品質の平均値は、基地局が何れか一つのサブ帯域を含まず、全体の帯域幅に分散されているチャンネル(Distributed Resource Channel、以下、「ＤＲＣＨ」と称する。)を端末に割り当てる場合、チャンネルの符号率などを決定するために使用されることができ、また、端末との通信において電力制御などを行う場合に使用されることができる。Ｋ個のサブ帯域の各々に対するＣＱＩは端末に各サブ帯域を割り当てるときに使用され、報告するサブ帯域の個数(Ｋ)は端末がサービスを開始する時、或いは、サービス中に基地局と端末との交渉により決定されることができる。交渉は、端末クラス、端末が要請したサービス及びＱoＳ情報、下りリンク／上りリンクの負荷などを考慮して行われる。
【００６９】
参照符号７０３は、端末がＨＳＳ(High Speed Status)であることを示す。ＨＳＳ(７０３)では、端末のチャンネル環境が急激に変化し得るため、ＣＱＩは各サブ帯域又はＤＲＣＨの割当て、或いは、電力制御に使用されることができない。これは、ＨＳＳ(７０３)の急激に変化するチャンネル環境におけるＣＱＩは、信頼性がなく、非安定的であるためである。よって、ＨＳＳ(７０３)では、Ｎ個のサブ帯域に対する平均値だけでなく、Ｋ個の各サブ帯域に対するＣＱＩをフィードバックする必要がない。ＨＳＳ(７０３)においては、端末がＣＱＩを未転送することで、ＣＱＩの未転送により節約されるラジオ資源が、他のシグナルリングやデータ転送に使用されることができる。
【００７０】
参照符号７０２は、端末が、ＨＳＳ(７０３)でもＬＳＳ(７０１)でもないＵＳＳ(Unknown Speed Status)であることを示す。ＵＳＳ(７０２)は、端末の実際速度が高速でも低速でもない中間速度であったり、或いは、瞬間的には高速又は低速であるが、ＨＳＳ(７０３)やＬＳＳ(７０１)を決定するための速度維持時間などの条件を満足させない状態である。すなわち、ＵＳＳ(７０２)は、端末が、連続的な中間速度にあったり、或いは、ＨＳＳやＬＳＳに決定されない不連続的な低速又は高速にあることを示す。端末は、ＵＳＳ(７０２)からＮ個のサブ帯域に対するチャンネル品質の平均値だけをＣＱＩとしてフィードバックする。なぜなら、端末の速度が不正確な状態におけるＫ個のサブ帯域の各々についてのＣＱＩは、ＣＱＩに基づいてサブ帯域を割り当てるのに使用される程度に信頼性及び安全性を備えていないためである。
【００７１】
前述した３レベルの速度状態７０１〜７０３は、ＣＱＩ転送モードを決定するためのもので、ＣＱＩ転送モードを決定するために必須なレベルであり、３レベルの速度状態７０１〜７０３により、端末が基地局にフィードバックするＣＱＩのオーバーヘッドを低減できる。ところが、１個又は２個の速度状態レベルを使用する場合、ＣＱＩ転送モードを決定するのに必要な情報が不足になり、ＣＱＩ転送モードを効率良く決定することが出来ない。一方、多く細分化したレベルを使用する場合、端末の速度計算が複雑になり、これにより基地局にフィードバックする情報のオーバーヘッドが増加する。よって、図７に示すように、ＣＱＩ転送モードを効率良く割り当てて、端末の複雑性を減少させ、基地局にフィードバックする情報のオーバーヘッドを減少させる、３レベルの端末の速度状態を設定する。しかしながら、フィードバックオーバーヘッドの減少或いはスケジュールリングの効率化のために、３レベル未満又は３レベル以上の速度状態レベルを使用できることは勿論である。
【００７２】
参照番号７１１は、ＬＳＳ(７０１)とＵＳＳ(７０２)とを区分するＬＳＳ−ＵＳＳ境界条件を示し、条件パラメーターとしてTHRESHOLD_USS_LSSを使用する。参照番号７１２は、ＵＳＳ(７０２)とＨＳＳ(７０３)とを区分するＨＳＳ−ＵＳＳ境界条件を示し、条件パラメーターとしてTHRESHOLD_HSS_USSを使用する。端末の速度状態は、端末の測定された移動性が、ＬＳＳ−ＵＳＳ境界条件７１１を満足させるとＬＳＳ(７０１)と決定され、ＨＳＳ−ＵＳＳ境界条件７１２を満足させるとＨＳＳ(７０３)と決定され、ＬＳＳ−ＵＳＳ境界条件７１１及びＨＳＳ−ＵＳＳ境界条件７１２の何れも満足させないと、ＵＳＳ(７０２)と決定される。端末の移動性を測定する方法として、下記の３つの方法を開示する。
【００７３】
第一の方法は、一定時間の間端末が経由したセルの個数を用いるものである(以下、アルゴリズム０と称する。)。このときにはTHRESHOLD_USS_LSS及びTHRESHOLD_HSS_USSとして、各々タイマー及び変更セルの個数が含まれる。例えば、下記のようなTHRESHOLD_USS_LSS及びTHRESHOLD_HSS_USSを持つことができる。
【００７４】
- THRESHOLD_USS_LSS：タイマーＴ１、変更セルの個数Ｎ１
- THRESHOLD_HSS_USS：タイマーＴ２、変更セルの個数Ｎ２
【００７５】
端末は、Ｔ１の間端末が経由したセルの個数がＮ１よりも小さければＬＳＳと判断し、Ｔ２の間端末が経由したセルの個数がＮ２よりも多ければＨＳＳと判断する。両方の条件を全部満足させない場合、端末はＵＳＳと判断する。ここで、Ｔ１とＴ２とは互いに同一又は異なる値を有し、一般的にはＮ２がＮ１よりも大きい。
【００７６】
第二の方法は、一定時間の間測定した、下りリンクパイロットチャンネルやＮ個のサブ帯域に対する信号強度の平均値の変動(上り降り)を利用するものである(以下、アルゴリズム２と称する)。このときには、THRESHOLD_USS_LSS及びTHRESHOLD_HSS_USSとして、各々タイマー及び信号強度の標準偏差が含まれる。例えば、下記のようなTHRESHOLD_USS_LSS及びTHRESHOLD_HSS_USSを持つことができる。
【００７７】
- THRESHOLD_USS_LSS：タイマーＴ３、信号強度の標準偏差Ｖ１
- THRESHOLD_HSS_USS：タイマーＴ４、信号強度の標準偏差Ｖ２
【００７８】
端末は、Ｔ３の間端末が測定した、下りリンクパイロットチャンネルやＮ個のサブ帯域に対する信号強度の標準偏差がＶ１よりも小さければＬＳＳと決定し、Ｔ４の間端末が測定した、下りリンクパイロットチャンネルやＮ個のサブ帯域に対する信号強度の標準偏差がＶ２よりも大きければＨＳＳと決定する。両方の条件を全部満足させない場合、端末はＵＳＳと判断する。下りリンクパイロットチャンネルやＮ個のサブ帯域に対して測定した信号強度の標準偏差が大きいということは、チャンネル状況が急激に変化しているため、信号強度の平均値に比べて各信号強度測定値の変動(上り降り)が大きいことを示す。反面、標準偏差が小さいということは、チャンネル状況が比較的安定的であるため、信号強度の平均値に比べて各信号強度測定値の変動(下り降り)が大きくないことを示す。ここで、Ｔ３とＴ４とは互いに同一又は異なる値を有し、一般的にＶ２がＶ１よりも大きい。
【００７９】
第三の方法は、ＧＰＳ(Global Positioning System)受信が可能な端末、或いは、別途の速度測定モジュールを備えた端末において、一定時間の間実際に測定した平均速度を利用するものである(アルゴリズム２と称する)。このときには、THRESHOLD_USS_LSS及びTHRESHOLD_HSS_USSとして、各々タイマー及び数値的な平均速度が含まれる。例えば、下記のようなTHRESHOLD_USS_LSS及びTHRESHOLD_HSS_USSを持つことができる。
【００８０】
- THRESHOLD_USS_LSS：タイマーＴ５、数値的な平均速度Ｓ
- THRESHOLD_HSS_USS：タイマーＴ６、数値的な平均速度Ｓ２
【００８１】
端末は、Ｔ５の間測定した数値的な平均速度(例えば、１５Ｋｍ／ｈ)がＳ１よりも小さければＬＳＳと決定し、Ｔ６の間測定した数値的な平均速度(例えば、６８Ｋｍ／ｈ)がＳ２よりも大きければＨＳＳと決定する。両方の条件を全部満足させない場合、端末はＵＳＳと決定する。ここで、Ｔ５とＴ６とは互いに同一又は異なる値を有し、一般的にはＳ２がＳ１よりも大きい。
【００８２】
端末は、THRESHOLD_HSS_USS及びTHRESHOLD_ USS_ LSSによって速度状態が変更される場合、変更された速度状態を基地局に通報し、基地局は、通報された速度状態に従って可能なＣＱＩ転送モードを決定して端末に通報する。
【００８３】
図８は、本発明の第１の実施形態による端末の速度状態に対してＣＱＩを転送する動作を示すメッセージのフローチャートである。参照符号８０１は端末(ＵＥ)を示し(ここで、端末８０１の速度状態はＵＳＳからＨＳＳに変更されている)、参照符号８０２は端末８０１のためのサービング基地局(Serving Node B)を示し、参照符号８０３は端末８０１がサービング基地局８０２の制御するサービングセルから目的セルへのハンドオーバーの際、目的セルを制御する目的基地局(Target Node B)を示す。
【００８４】
段階Ｓ８１１において、サービング基地局８０２は、セル内ブロードキャストされるシステム情報を介して、端末８０１の速度状態を決定するのに使用するためのパラメーターを端末８０１に転送する。パラメーターにはTHRESHOLD_USS_LSS及びTHRESHOLD_HSS_USSなどが含まれる。THRESHOLD_USS_ LSS及びTHRESHOLD_HSS_USSは、端末の速度状態決定アルゴリズムによって互いに異なる値を含む。以下に前述した３つの速度状態決定アルゴリズムについて、システム情報に含まれる情報の一例を示す。
【００８５】
アルゴリズム０(変更セルの個数を利用)
- THRESHOLD_USS_LSS
> Timer T１
> N1(変更セルの個数)
- THRESHOLD_HSS_USS
> Timer T2
> N2
アルゴリズム１(信号強度の変動を利用)
- THRESHOLD_USS_LSS 
> Timer T3
> V1(信号強度に対する標準偏差)
- THRESHOLD_HSS_USS
> Timer T4
> V2
アルゴリズム２(実際平均速度を利用)
- THRESHOLD_USS_LSS
> Timer T5
> S１[Km/h](平均速度)
- THRESHOLD_HSS_USS
> Timer T6
> S2[Km/h]
【００８６】
前述したように、３つの速度状態決定アルゴリズムに対する値が多重にシステム情報に含まれることができ、端末は端末の能力によって決定アルゴリズムの一つを選択する。例えば、ＧＰＳが可能な端末はアルゴリズム２を選択し、そうでない端末はアルゴリズム０又はアルゴリズム１を選択する。他の実施形態として、サービング基地局８０２は端末の能力によって一つ又はその以上の速度状態決定アルゴリズムを含む情報を特定端末に転送する。
【００８７】
段階Ｓ８２０において、端末８０１は、サービスを開始するためにサービング基地局８０２にサービスを要請する。仮に、端末８０１がサービスを要請するとき、端末８０１の速度状態に対する指示情報を転送せず、サービング基地局８０２が端末８０１の速度状態を知っていない場合、段階Ｓ８２１においてサービング基地局８０２は端末８０１の速度状態をＵＳＳと見なす。これはＬＳＳと仮定すれば、ＨＳＳやＬＳＳの場合よりも端末の速度状態を誤認した時のインパクト(Impact)が最小化されるためである。ＨＳＳと誤認した場合には、ＤＲＣＨ割当て時にＤＲＣＨで使用するモジュレーション方法やコーディングレートなどを設定できず、初期電力制御が不可能であるという問題が発生する。反面、ＬＳＳと誤認した場合には、端末がＫ個のサブ帯域の各々に対するＣＱＩを不要に転送するようにするという問題が発生する。
【００８８】
図８には示さなかったが、段階Ｓ８２０においてサービスを要請するとき、端末８０１が要請したサービスでない他のサービスを既に受信しながら、速度状態を決定するための動作が遂行中であったり、或いは、端末８０１が他のサービスを受信していなくても、速度状態を決定するための動作が既に遂行中である場合、端末８０１は、段階Ｓ８２０において自身の速度状態をサービング基地局８０２に通報できる。このとき、段階Ｓ８２１において、サービング基地局８０２は、端末８０１の速度状態を端末の通報した速度状態に正確に設定する。
【００８９】
端末の速度状態をＵＳＳに設定した後、段階Ｓ８２２において、サービング基地局８０２は要請されたサービスのための資源／チャンネルを割り当てる。段階Ｓ８２２においては端末８０１の速度状態を知らず、各サブ帯域に対するＣＱＩをサービング基地局８０２が受信しない状態なので、サービング基地局８０２は端末８０１にサブ帯域を割り当てず、ＤＲＣＨを割り当てる。また、段階Ｓ８２２において、サービング基地局８０２は、端末８０１からＣＱＩを伝送されるためのＣＱＩチャンネルの資源を予約して端末８０１に報知する。段階Ｓ８２１において端末８０１の速度状態をＵＳＳと見なしたため、サービング基地局８０２は、Ｎ個のサブ帯域の全体に対する平均値をフィードバックできる程度のＣＱＩチャンネル資源を割り当てる。ここで、割り当てられたＤＲＣＨ及びＣＱＩチャンネルの資源についての情報は、結果的に端末８０１に対して許されたＣＱＩ転送モードを指示することになる。すなわち、端末８０１は、段階Ｓ８２２において割り当てられたＣＱＩチャンネルの資源量に従い、許されたＣＱＩ転送モードを認知する。
【００９０】
段階Ｓ８３１及び段階Ｓ８３３において、端末８０１は、割り当てられたＣＱＩチャンネルの資源を用いて、Ｎ個のサブ帯域に対するチャンネル品質の平均値を含むＣＱＩ報告メッセージ、すなわち、CQI REPORT[AVERAGE]をサービング基地局８０２に報告する。CQI REPORT[AVERAGE]は、既定のCQI REPORT[AVERAGE]周期８３２に従って周期的に転送される。CQI REPORT[AVERAGE]周期８３２は、段階Ｓ８２２において資源／チャンネル情報と共に端末８０１に提供されたり、固定値に設定されたりできる。
【００９１】
一方、段階Ｓ８４１において、端末８０１は、段階Ｓ８１１において得られたパラメーターを用いて端末８０１の移動性を持続的に測定し、端末８０１がＨＳＳになったことを認知する。続いて、段階Ｓ８４２において、端末８０１は、サービング基地局８０２にＨＳＳであることを通報する指示情報やメッセージ、すなわち、HSS_INDを転送する。HSS_INDは固有のメッセージ又はCQI REPORT[AVERAGE]に含まれて転送される。CQI REPORT[AVERAGE]に含まれて転送される場合、CQI REPORT[AVERAGE]には、HSS_INDを示すためのビットが予め定義される。段階Ｓ８４３において、サービング基地局８０２はHSS_INDに応答して、レイヤ２又はレイヤ３のＡＣＫメッセージを端末８０１に転送する。
【００９２】
段階Ｓ８４３のＡＣＫメッセージを受信した後、段階Ｓ８５１において、端末８０１はCQI REPORTを遂行しない。ここで、CQI REPORTを遂行しないということは、Ｎ個のサブ帯域に対する平均値だけでなく、Ｋ個のサブ帯域の各々に対するＣＱＩもフィードバックしないことを意味する。段階Ｓ８４３のＡＣＫメッセージを転送した後、段階Ｓ８５２において、サービング基地局８０２は、端末８０１のために段階Ｓ８２２において割り当てられたＣＱＩチャンネルの資源を他の用途に使用し得る。例えば、資源は端末８０１のデータ転送チャンネルに割り当てられたり、或いは、他の端末のために割り当てられる。これは、端末８０１がＨＳＳであり、端末８０１がいかなるＣＱＩも転送しないため、端末８０１の周期的なＣＱＩ転送のためにＣＱＩチャンネルの資源を予約することは非効率的なためである。
【００９３】
段階Ｓ８６１においては、端末８０１がサービング基地局８０２により制御されるサービングセルから目的セルへ移動することで、ハンドオーバープロシジャが開始される。ハンドオーバープロシジャは、端末基盤又はネットワーク基盤にトリガリングできるが、その具体的な手順は、本発明の主要な要旨と関連ないため、詳細な説明を省略する。ハンドオーバープロシジャが開始される場合、段階Ｓ８６２において、サービング基地局８０２が目的セルを制御する目的基地局８０３に端末８０１の現在の速度状態を通報する。このとき、端末８０１の速度状態だけでなく、端末８０１のクラスなどＣＱＩ転送モードを決定するのに使用される情報が更に通報できる。具体的に、段階Ｓ８６２において、端末８０１の現在の速度状態がＨＳＳであることを示すHSS_INDが転送される。
【００９４】
段階Ｓ８６３において、目的基地局８０３は、ＨＳＳである端末８０１のためにＣＱＩの転送のための資源を予約せず、段階Ｓ８６４において、ハンドオーバープロシジャが完了して、端末８０１が目的基地局８０３の制御下にある目的セルへ完全に移動する。同様に、端末８０１はＨＳＳにあるので、目的基地局８０３へのＣＱＩの転送を遂行しない。
【００９５】
端末８０１が目的基地局８０３と連結している途中、段階Ｓ８７１において、端末８０１はＨＳＳからＵＳＳに変更されたことを認知する。速度状態の決定アルゴリズムは前述した３つのアルゴリズムの中から選択される。段階Ｓ８７２において、端末８０１は、目的基地局８０３に変更された速度状態であるＵＳＳを通報する指示情報やメッセージ、すなわちUSS_INDを転送する。USS_INDは固有のメッセージ又はCQI REPORT[AVERAGE]のような他のメッセージに含まれて転送される。段階Ｓ８７３において、目的基地局８０３は、USS_INDに応答して、レイヤ２又はレイヤ３のＡＣＫメッセージを端末８０１に転送する。ＡＣＫメッセージは、端末８０１にＣＱＩの転送のために割り当てられたＣＱＩチャンネルの資源についての情報、すなわちCQI_CHを含む。CQI_CHは、端末８０１がＵＳＳなので、CQI REPORT[AVERAGE]のための資源を示し、Ｋ個のサブ帯域の各々に対するＣＱＩのための資源は予約されなくても良い。よって、CQI_CHは、結果的に端末８０１に対して許されたＣＱＩ転送モードを指示することになる。
【００９６】
段階Ｓ８８１及び段階Ｓ８８２において、端末８０１は、CQI_CHに従う資源を介してＮ個のサブ帯域に対するチャンネル品質の平均値を示すCQI REPORT[AVERAGE]を、既定のCQI REPORT[AVERAGE]周期に従って目的基地局８０３に報告する。CQI REPORT[AVERAGE]周期は、CQI_CHにより指示されたり、固定されたりする値である。
【００９７】
図９ａ及び図９ｂは、本発明の第２の実施形態によるＣＱＩの転送動作を示すメッセージのフローチャートであって、参照符号９０１は端末を示し(ここで、端末９０１の速度状態はＵＳＳからＬＳＳに変更されている)、参照符号９０２は端末９０１のためのサービング基地局を示し、参照符号９０３はハンドオーバー時に目的セルを制御する目的基地局を示す。
【００９８】
段階Ｓ９１１において、サービング基地局９０２は、セル内ブロードキャストされるシステム情報を介して、端末９０１の速度状態を決定するのに使用するためのパラメーターを端末９０１に転送する。パラメーターには前述したようなTHRESHOLD_USS_LSS及びTHRESHOLD_HSS_USSなどが含まれる。段階Ｓ９２０において、端末９０１は、サービスを開始するためにサービング基地局９０２にサービスを要請する。仮に、端末９０１がサービスを要請するとき、端末９０１の速度状態に対する指示情報を転送せず、サービング基地局９０２が端末９０１の速度状態を知っていない場合、段階Ｓ９２１においてサービング基地局９０２は端末９０１の初期速度状態をＵＳＳと見なす。
【００９９】
図９ａ及び図９ｂには示さなかったが、段階Ｓ９２０においてサービスを要請するとき、端末９０１が要請したサービスでない他のサービスを既に受信しながら、速度状態を決定するための動作が遂行中であったり、或いは、端末９０１が他のサービスを受信していなくても、速度状態を決定するための動作が既に遂行中である場合、段階Ｓ９２０において、端末９０１は自身の速度状態をサービング基地局９０２に通報できる。このとき、段階Ｓ９２１において、サービング基地局９０２は、端末９０１の速度状態を端末の通報した速度状態に正確に設定する。
【０１００】
端末の速度状態をＵＳＳに設定した後、段階Ｓ９２２において、サービング基地局９０２は要請されたサービスのための資源／チャンネルを割り当てる。段階Ｓ９２２においては端末９０１の速度状態を知らず、各サブ帯域についてのＣＱＩをサービング基地局９０２が受信しない状態なので、サービング基地局９０２は端末９０１にサブ帯域を割当てず、ＤＲＣＨを割り当てる。また、段階Ｓ９２２において、サービング基地局９０２は、端末９０１からＣＱＩを伝送されるためのＣＱＩチャンネルの資源を予約して端末９０１に報知する。段階Ｓ９２１において端末９０１の速度状態をＵＳＳと見なしたため、サービング基地局９０２は、Ｎ個のサブ帯域の全体に対する平均値をフィードバックできる程度のＣＱＩチャンネル資源を割り当てる。ここで、ＣＱＩチャンネルの資源についての情報は、結果的に端末９０１に対して許されたＣＱＩ転送モードを指示することになる。
【０１０１】
段階Ｓ９３１及び段階Ｓ９３３において、端末９０１は、割り当てられたＣＱＩチャンネルの資源を用いて、Ｎ個のサブ帯域に対するチャンネル品質の平均値を含むＣＱＩ報告メッセージ、すなわち、CQI REPORT[AVERAGE]を、既定のCQI REPORT[AVERAGE]周期９３２に従って周期的にサービング基地局９０２に転送する。
【０１０２】
一方、段階Ｓ９４１において、端末９０１は、段階Ｓ９１１において得られたパラメーターを用いて端末９０１の移動性を持続的に測定し、端末９０１がＬＳＳになったことを認知する。続いて、段階Ｓ９４２において、端末９０１は、サービング基地局９０２にＬＳＳであることを通報する指示情報やメッセージ、すなわち、LSS_INDを転送する。LSS_INDは固有のメッセージ又はCQI REPORT[AVERAGE]に含まれて転送される。CQI REPORT[AVERAGE]に含まれて転送される場合、CQI REPORT[AVERAGE]にはLSS_INDを示すためのビットが予め定義される。段階Ｓ９４３において、サービング基地局９０２はLSS_INDに応答して、レイヤ２又はレイヤ３のＡＣＫメッセージを端末９０１に転送する。
【０１０３】
ＡＣＫメッセージは、端末８０１にＣＱＩの転送のために割り当てられたＣＱＩチャンネルの資源についての情報、すなわちCQI_CHを含む。基地局がＣＱＩ転送モードを決定する端末の速度の以外に、他の要因、例えば、端末クラス、端末が要請したサービス種類、要求されたＱｏＳ、下りリンク／上りリンクの負荷などにより、Ｋ個のサブ帯域の各々に対するＣＱＩの転送が制限されない場合、ＵＳＳにおいてＮ個のサブ帯域に対するチャンネル品質の平均値だけでなく、Ｋ個のサブ帯域の各々に対するＣＱＩのフィードバックが可能である。前述したように、端末９０１のためにＮ個のサブ帯域に対する平均値だけでなく、Ｋ個のサブ帯域に対するＣＱＩのフィードバックをサービング基地局９０２が決定すれば、CQI_CHは複数個のＣＱＩの転送のために要求されるＣＱＩチャンネルの資源に対する情報を含む。よって、CQI_CHは、結果的に端末８０１に対して許されたＣＱＩ転送モードを指示することになる。
【０１０４】
図９a及び図９ｂでは、各サブ帯域別ＣＱＩをCQI REPORT[AMC_BAND_SPECIFIC]として表現する。また、CQI_CHはCQI EPORT  [AMC_BAND_SPECIFIC]の転送のための周期情報を含む。仮に、段階Ｓ９４３のCQI_CHが CQI REPORT[AVERAGE]のためのＣＱＩチャンネルの資源及び周期を示す情報も含む場合、以後、CQI REPORT[AVERAGE]の転送周期は、ＡＣＫメッセージが指示する周期情報に従って変更される。
【０１０５】
段階Ｓ９５１及び段階Ｓ９５７において、端末９０１は、CQI_CHが示す資源を介して、Ｎ個のサブ帯域に対するチャンネル品質の平均値、すなわちCQI REPORT[AVERAGE]を、CQI REPORT[AVERAGE]周期９６１に従ってサービング基地局９０２に周期的に転送する。また、CQI_CHを介して各サブ帯域に対するＣＱＩの転送のための資源が割当てられる場合、段階Ｓ９５２、段階Ｓ９５５及び段階Ｓ９５６において、端末９０１は、各サブ帯域に対するＣＱＩ、すなわちCQI REPORT[AMC_BAND_SPECIFIC]を、CQI REPORT[AMC_BAND_SPECIFIC]周期９６２に従ってサービング基地局９０２に転送する。 図９a及び図９ｂでは、CQI REPORT[AVERAGE]とCQI REPORT[AMC_BAND_SPECIFIC]とが、各々異なる周期９６１、９６２に従って転送されることを示したが、一つの周期に従ってＮ個のＡＭＣサブ帯域に対するチャンネル品質の平均値と各サブ帯域に対するＣＱＩとを共に含む一つのメッセージを転送することも可能である。
【０１０６】
段階Ｓ９５３において、サービング基地局９０２は、段階Ｓ９５２のCQI REPORT[AMC_BAND_SPECIFIC]により、端末９０１が要請したサービスのＱｏＳや端末のクラスなどを参照して、サブ帯域を割り当てるか否かを決定する。少なくとも一つのサブ帯域を割り当てると決定した場合、段階Ｓ９５４において、サービング基地局９０２は、割り当てられた少なくとも一つのサブ帯域を資源再割当て(Resource re-allocation)メッセージを用いて端末９０１に通知する。
【０１０７】
段階Ｓ９７１においては、端末９０１がサービング基地局９０２により制御されるサービングセルから目的セルへ移動することで、ハンドオーバープロシジャが開始される。ハンドオーバープロシジャが開始される場合、段階Ｓ９７２において、サービング基地局９０２が目的セルを制御する目的基地局９０３に端末９０１の現在の速度状態を通報する。このとき、端末９０１の速度状態だけでなく、端末９０１のクラスなどＣＱＩ転送モードを決定するのに使用される情報が更に通報できる。具体的に、段階Ｓ９７２において、端末９０１の現在の速度状態がＬＳＳであることを示すLSS_INDが転送される。
【０１０８】
段階Ｓ９７３において、目的基地局９０３は、ＣＱＩ転送モードを決定する他の要因により、Ｋ個のサブ帯域の各々に対するＣＱＩ転送が制限されない場合、端末９０１のために CQI REPORT[AVERAGE]と CQI REPORT  [AMC_BAND_SPECIFIC]との転送のためのＣＱＩチャンネルの資源を予約する。段階Ｓ９７４において、ハンドオーバープロシジャが完了して、端末９０１が目的基地局９０３の制御下にある目的セルへ完全に移動する。以後、端末９０１のCQI REPORT[AMC_BAND_SPECIFIC]が目的基地局９０３に通報される場合、段階Ｓ９７３において、目的基地局９０３は、CQI REPORT[AMC_BAND_SPECIFIC]を参照して、端末９０１のための少なくとも一つのサブ帯域を割り当てる。
【０１０９】
図示しなかったが、目的基地局９０３は、ＬＳＳである端末９０１のＣＱＩ転送のために、サービング基地局９０２と同じＣＱＩチャンネルの資源を割り当てて、割り当てられた資源を介して端末９０１からCQI REPORT[AMC_BAND_SPECIFIC]及びCQI REPORT[AVERAGE]を受信する。仮に、目的基地局９０３がサービング基地局９０２と同じＣＱＩチャンネルの資源が割当てられない場合、すなわち、サービング基地局９０２で割り当てられたＣＱＩチャンネルの資源が目的基地局９０３で既に使用中である場合、目的基地局９０３は、ＬＳＳである端末９０１からＣＱＩを受信するための新しいＣＱＩチャンネルの資源を割り当てて、割り当てられた新しい資源を端末９０１に通報する。その後、端末９０１は、新しい資源を用いて、Ｎ個のサブ帯域に対するチャンネル品質の平均値及びＫ個のサブ帯域の各々に対するＣＱＩを目的基地局９０３に転送する。
【０１１０】
端末９０１が目的基地局９０３と連結している途中、段階Ｓ９８１において、端末９０１はＬＳＳからＵＳＳに変更されたことを認知する。速度状態の決定アルゴリズムは前述した３つのアルゴリズムの中から選択される。段階Ｓ９８２において、端末９０１は、目的基地局９０３に変更された速度状態であるＵＳＳを通報する指示情報やメッセージ、すなわちUSS_INDを転送する。USS_INDは固有のメッセージ又はCQI REPORT[AVERAGE]のような他のメッセージに含まれて転送される。段階Ｓ９８３において、目的基地局８０３は、USS_INDに応答して、レイヤ２又はレイヤ３のＡＣＫメッセージを端末９０１に転送する。ＡＣＫメッセージは、端末９０１にＣＱＩの転送のために割り当てられた資源／チャンネルについての情報、すなわちCQI_CHを含む。CQI_CHは、端末９０１がＵＳＳなので、CQI REPORT[AVERAGE]のための資源及び周期を示し、このとき、CQI REPORT[AVERAGE]のための資源及び周期などは、以前に使用したCQI REPORT[AVERAGE]のための資源及び周期と異なることができる。このとき、Ｋ個のサブ帯域の各々に対するＣＱＩのための資源は予約されなくても良い。
【０１１１】
段階Ｓ９８４及び９８６において、端末９０１は、CQI_CHに従う資源を介してＮ個のサブ帯域に対するチャンネル品質の平均値を示すCQI REPORT[AVERAGE]を、CQI_CHが指示するCQI REPORT[AVERAGE]周期９８５に従って目的基地局９０３に報告する。CQI REPORT[AVERAGE]周期９８５は、CQI_CHにより指示されたものである。
【０１１２】
図１０は、本発明の実施形態によるＣＱＩ転送モードを決定する基地局の動作を示すフローチャートである。
図１０によれば、基地局は、段階Ｓ１００１において端末から上りリンクメッセージ又は情報を受信し、段階Ｓ１００２において受信された情報又はメッセージに端末の速度状態に対する指示情報が含まれているか否かをチェックする。速度状態に対する指示情報が含まれていない場合、段階Ｓ１００３において受信された情報又はメッセージが、サービス或いは資源／チャンネルを要請するか否かを判断する。受信された情報又はメッセージが、サービス或いは資源／チャンネルを要請する場合、基地局は端末の初期速度状態をＵＳＳと見なし、端末のためのＣＱＩとしてCQI REPORT[AVERAGE]だけが可能であると判断して、段階Ｓ１０２２に進行する。
【０１１３】
基地局は、段階Ｓ１０２２において端末がCQI REPORT[AVERAGE]を転送するＵＳＳ転送モードを使用すると決定し、段階Ｓ１０３１に進行する。基地局は、段階Ｓ１０３１において端末に対して決定されたＣＱＩ転送モードに従ってＣＱＩが転送されるか否かを判断する。一方、基地局は、段階Ｓ１０２２においてＣＱＩ転送モードを決定するための他の要因、例えば、端末クラス、端末が要請したサービス種類、要求されたＱｏＳ、下りリンク／上りリンクの負荷などに基づいて最終的なＣＱＩ転送モードを決定できる。仮に、段階Ｓ１０３１においてＣＱＩが転送される場合、基地局は段階Ｓ１０４１においてCQI REPORT[AVERAGE]の転送のためのＣＱＩチャンネルの資源を予約し、予約された資源を端末に割り当てる。反面、段階Ｓ１０３１においてＣＱＩが転送されない場合、基地局は、段階Ｓ１０４２において端末のＣＱＩチャンネルのための資源を予約も割当ても行わない。一方、段階Ｓ１００３において受信した情報又はメッセージが、サービス或いは資源／チャンネルを要請しない場合、基地局は、段階Ｓ１００４において受信した情報又はメッセージを適切に処理する。
【０１１４】
段階Ｓ１００２において受信した情報又はメッセージに端末の速度状態を示す指示情報が含まれた場合、基地局は、段階Ｓ１０１１において指示情報がＬＳＳか否かをチェックする。指示情報がＬＳＳである場合、基地局は、段階Ｓ１０２１においてCQI REPORT[AVERAGE]とCQI  REPORT[AMC_BAND_  SPECIFIC]ともを転送するＬＳＳ転送モードを端末のために使用するかを決定し、段階Ｓ１０３１に進行する。段階Ｓ１０２１における決定は、ＣＱＩ転送モードを決定する他の要因に基づいて行われる。段階Ｓ１０２１において、CQI REPORT[AVERAGE]とCQI REPORT[AMC_BAND_SPECIFIC]ともを転送すると決定したり、２情報の一つを転送すると決定したり、２情報ともを転送しないと決定したりできる。
【０１１５】
同様に、基地局は、段階Ｓ１０３１において端末に対してＣＱＩが転送されると決定されたか否かを判断する。段階Ｓ１０３１においてＣＱＩが転送されると決定された場合、段階Ｓ１０４１において、基地局は、段階Ｓ１０２１において決定されたＣＱＩ転送モードに従い、CQI REPORT[AVERAGE]及びCQI REPORT[AMC_BAND_SPECIFIC]の少なくとも一つのためのＣＱＩチャンネルの資源を予約し、端末に割り当てる。反面、段階Ｓ１０３１においてCQI REPORT[AVERAGE]及び CQI REPORT[AMC_BAND_SPECIFIC]を全部使用しないと決定された場合、基地局は、段階Ｓ１０４２において端末のＣＱＩチャンネルのための資源を予約も割当てもしない。
【０１１６】
段階Ｓ１０１１において指示情報がＬＳＳでない場合、基地局は、段階Ｓ１０１２において指示情報がＵＳＳか否かをチェックする。指示情報がＵＳＳである場合、基地局は、端末のためのＣＱＩとしてCQI REPORT[AVERAGE]だけが転送可能であると判断し、段階Ｓ１０２２に進行する。段階Ｓ１０２２については、先に説明した。
【０１１７】
段階Ｓ１０１２において指示情報がＵＳＳでない場合、基地局は、段階Ｓ１０１３において指示情報がＨＳＳか否かをチェックする。速度状態情報がＨＳＳである場合、基地局は、端末のためのＣＱＩが不要であると判断し、段階Ｓ１０４２において端末のＣＱＩ転送のためのＣＱＩチャンネルの資源を予約も割当てもしない。段階Ｓ１０１３において速度状態情報がＨＳＳでない場合、段階Ｓ１０１４においてエラーとして処理する。
【０１１８】
図１１ａ及び図１１ｂは、本発明の第１の実施形態による速度状態を決定する端末の動作を示すフローチャートである。
図１１ａによれば、端末は、段階Ｓ１１０１においてサービスの要請、或いは、サービスのための資源／チャンネルの要請を決定する。端末は、段階Ｓ１１０２において現在の有効な速度状態情報を持っているか否かをチェックする。例えば、端末が要請したいサービスでない他のサービスを既に受信して、速度状態を決定するための動作を既に遂行中であったり、或いは、サービスの要請前に速度状態を決定するための動作を継続遂行していたりできる。端末が現在の有効な速度状態情報を持っている場合、端末は、段階Ｓ１１１１において速度状態情報をサービス(或いは、資源／チャンネル)要請情報又はメッセージに載せて基地局に転送した後、段階Ｓ１１２１に進行する。一方、段階Ｓ１１０２において端末が現在の有効な速度状態情報を持っていない場合、段階Ｓ１１１２において端末はいかなる速度状態情報も含まないサービス(或いは、資源／チャンネル)要請情報又はメッセージを基地局に転送した後、段階Ｓ１１１３において初期速度状態をＵＳＳに設定する。
【０１１９】
図１１ａでは示さなかったが、段階Ｓ１１１２及び段階Ｓ１１１３の変形として、まず、初期速度状態をＵＳＳに設定した後、ＵＳＳに設定されたサービス(或いは、資源／チャンネル)要請情報又はメッセージを基地局に転送できる。このように、端末は、サービスの要請、或いは、サービスのための資源／チャンネルの要請時、現在の有効な速度状態情報がない場合、端末の初期速度状態をＵＳＳに設定する。
【０１２０】
以後、端末は、段階Ｓ１１１４においてシステム情報として提供されたタイマーＴ１、Ｔ２をスタートする。タイマーＴ１、Ｔ２及び後述する変更セルの個数Ｎ１、Ｎ２は、前述した通りである。段階Ｓ１１２１においてタイマーＴ１が終了した場合、末端は、段階Ｓ１１３１においてタイマーＴ１の間経由したセルの個数がＮ１よりも小さいか否かをチェックする。経由したセルの個数がＮ１よりも小さい場合、端末は、段階Ｓ１１４１において速度状態をＬＳＳに設定する。続いて、段階Ｓ１１５１において以前の速度状態がＬＳＳか否かをチェックする。以前の速度状態がＬＳＳでない場合、端末は、段階Ｓ１１６１において速度状態がＬＳＳに変更されたことを基地局に通報し、段階Ｓ１１７１に進行する。以前の速度状態がＬＳＳである場合、段階Ｓ１１６１を遂行することなく、段階Ｓ１１７１に進行する。端末は、段階Ｓ１１７１においてタイマーＴ１の間経由したセルの個数を初期化し、タイマーＴ１をリスタートした後、段階Ｓ１１２１に戻る。
【０１２１】
一方、段階Ｓ１１３１において経由したセルの個数がＮ１よりも小さくない場合、端末は、段階Ｓ１１３２において現在の速度状態がＨＳＳか否かをチェックする。現在の速度状態がＨＳＳでない場合、端末は、段階Ｓ１１４２において速度状態をＵＳＳに設定し、段階Ｓ１１５２において以前の速度状態がＵＳＳか否かをチェックする。以前の速度状態がＵＳＳでない場合、端末は、段階Ｓ１１６２において速度状態がＵＳＳに変更されたことを基地局に通報し、段階Ｓ１１７１に進行する。段階Ｓ１１５２において以前の速度状態がＵＳＳである場合、段階Ｓ１１６２を遂行することなく、段階Ｓ１１７１に進行する。
【０１２２】
一方、段階Ｓ１１２１においてタイマーＴ１が終了しない場合、端末は、図１１ｂの段階Ｓ１１２２においてタイマーＴ２が終了したか否かを判断する。タイマーＴ２が終了した場合、端末は、段階Ｓ１１３３においてタイマーＴ２の間経由したセルの個数がＮ２よりも大きいか否かをチェックする。経由したセルの個数がＮ２よりも大きい場合、端末は、段階Ｓ１１４３において速度状態をＨＳＳに設定する。続いて、段階Ｓ１１５３において以前の速度状態がＨＳＳか否かをチェックする。以前の速度状態がＨＳＳでない場合、端末は、段階Ｓ１１６３において速度状態がＨＳＳに変更されたことを基地局に通報し、段階Ｓ１１７２に進行する。以前の速度状態がＨＳＳである場合、段階Ｓ１１６３を遂行することなく、段階Ｓ１１７２に進行する。端末は、段階Ｓ１１７２においてタイマーＴ２の間経由したセルの個数を初期化し、タイマーＴ２をリスタートした後、段階Ｓ１１２１に戻る。
【０１２３】
一方、段階Ｓ１１３３においてタイマーＴ２の間経由したセルの個数がＮ２よりも大きくない場合、端末は、段階Ｓ１１３４において現在の速度状態がＬＳＳか否かをチェックする。現在の速度状態がＬＳＳでない場合、端末は、段階Ｓ１１４４において速度状態をＵＳＳに設定し、段階Ｓ１１５４において以前の速度状態がＵＳＳか否かをチェックする。以前の速度状態がＵＳＳでない場合、端末は、段階Ｓ１１６４において速度状態がＵＳＳに変更されたことを基地局に通報し、段階Ｓ１１７２に進行する。段階Ｓ１１５４において以前の速度状態がＵＳＳである場合、段階Ｓ１１６４を遂行することなく、段階Ｓ１１７２に進行する。
【０１２４】
図１２ａ及び図１２ｂは、本発明の第２の実施形態による速度状態を決定する端末の動作を示すフローチャートである。
図１２ａによれば、端末は、段階Ｓ１２０１においてサービスの要請、或いは、サービスのための資源／チャンネルの要請を決定する。端末は、段階Ｓ１２０２において現在の有効な速度状態情報を持っているか否かをチェックする。例えば、端末が要請したいサービスでない他のサービスを既に受信して、速度状態を決定するための動作を既に遂行中であったり、或いは、サービスの要請前に速度状態を決定するための動作を継続遂行していたりできる。端末が現在の有効な速度状態情報を持っている場合、端末は、段階Ｓ１２１１において速度状態情報をサービス(或いは、資源／チャンネル)要請情報又はメッセージに載せて基地局に転送した後、段階Ｓ１２２１に進行する。一方、段階Ｓ１２０２において端末が現在の有効な速度状態情報を持っていない場合、端末は、段階Ｓ１２１２においていかなる速度状態情報も含まないサービス(或いは、資源／チャンネル)要請情報又はメッセージを基地局に転送した後、段階Ｓ１２１３において初期速度状態をＵＳＳに設定する。
【０１２５】
図１２ａでは示さなかったが、段階Ｓ１２１２及び段階Ｓ１２１３の変形として、まず、初期速度状態をＵＳＳに設定した後、ＵＳＳに設定されたサービス(或いは、資源／チャンネル)要請情報又はメッセージを基地局に転送できる。このように、端末は、サービスの要請、或いは、サービスのための資源／チャンネルの要請時、現在の有効な速度状態情報がない場合、端末の初期速度状態をＵＳＳに設定する。
【０１２６】
以後、端末は、段階Ｓ１２１４においてシステム情報として提供されたタイマーＴ３、Ｔ４をスタートする。タイマーＴ３、Ｔ４及び後述する信号強度の 標準偏差Ｖ１、Ｖ２は、前述した通りである。段階Ｓ１２２１においてタイマーＴ３が終了した場合、末端は、段階Ｓ１２３１において周期的に測定された、パイロットチャンネルやＮ個のサブ帯域に対する信号強度測定値の標準偏差がＶ１よりも小さいか否かをチェックする。標準偏差がＶ１よりも小さい場合、端末は、段階Ｓ１２４１において速度状態をＬＳＳに設定する。続いて、段階Ｓ１２５１において以前の速度状態がＬＳＳか否かをチェックする。以前の速度状態がＬＳＳでない場合、端末は、段階Ｓ１２６１において速度状態がＬＳＳに変更されたことを基地局に通報し、段階Ｓ１２７１に進行する。以前の速度状態がＬＳＳである場合、段階Ｓ１２６１を遂行することなく、段階Ｓ１２７１に進行する。端末は、段階Ｓ１２７１においてタイマーＴ３の間測定された標準偏差を初期化し、タイマーＴ３をリスタートした後、段階Ｓ１２２１に戻る。
【０１２７】
一方、段階Ｓ１２３１において標準偏差がＶ１よりも小さくない場合、端末は、段階Ｓ１２３２において現在の速度状態がＨＳＳか否かをチェックする。現在の速度状態がＨＳＳでない場合、端末は、段階Ｓ１２４２において速度状態をＵＳＳに設定し、段階Ｓ１２５２において以前の速度状態がＵＳＳか否かをチェックする。以前の速度状態がＵＳＳでない場合、端末は、段階Ｓ１２６２において速度状態がＵＳＳに変更されたことを基地局に通報し、段階Ｓ１２７１に進行する。段階Ｓ１２５２において以前の速度状態がＵＳＳである場合、段階Ｓ１２６２を遂行することなく、段階Ｓ１２７１に進行する。
【０１２８】
一方、段階Ｓ１２２１においてタイマーＴ３が終了しない場合、端末は、図１２ｂの段階Ｓ１２２２においてタイマーＴ４が終了したか否かを判断する。タイマーＴ４が終了した場合、端末は、段階Ｓ１２３３においてタイマーＴ４の間周期的に測定された、パイロットチャンネルやＮ個のＡＭＣサブ帯域に対する信号強度測定値の標準偏差がＶ２よりも大きいか否かをチェックする。標準偏差がＶ２よりも大きい場合、端末は、段階Ｓ１２４３において速度状態をＨＳＳに設定する。続いて、段階Ｓ１２５３において以前の速度状態がＨＳＳか否かをチェックする。以前の速度状態がＨＳＳでない場合、端末は、段階Ｓ１２６３において速度状態がＨＳＳに変更されたことを基地局に通報し、段階Ｓ１２７２に進行する。以前の速度状態がＨＳＳである場合、段階Ｓ１２６３を遂行することなく、段階Ｓ１２７２に進行する。端末は、段階Ｓ１２７２においてタイマーＴ４の間測定された標準偏差を初期化し、タイマーＴ４をリスタートした後、段階Ｓ１２２１に戻る。
【０１２９】
一方、段階Ｓ１２３３においてタイマーＴ４の間測定された標準偏差Ｖ２よりも大きくない場合、端末は、段階Ｓ１２３４において現在の速度状態がＬＳＳか否かをチェックする。現在の速度状態がＬＳＳでない場合、端末は、段階Ｓ１２４４において速度状態をＵＳＳに設定し、段階Ｓ１２５４において以前の速度状態がＵＳＳか否かをチェックする。以前の速度状態がＵＳＳでない場合、端末は、段階Ｓ１２６４において速度状態がＵＳＳに変更されたことを基地局に通報し、段階Ｓ１２７２に進行する。段階Ｓ１２５４において以前の速度状態がＵＳＳである場合、段階Ｓ１２６４を遂行することなく、段階Ｓ１２７２に進行する。
【０１３０】
図１３ａ及び図１３ｂは、本発明の第３の実施形態による速度状態を決定する端末の動作を示すフローチャートである。
図１３ａによれば、端末は、段階Ｓ１３０１においてサービスの要請、或いは、サービスのための資源／チャンネルの要請を決定する。端末は、段階Ｓ１３０２において現在の有効な速度状態情報を持っているか否かをチェックする。例えば、端末が要請したいサービスでない他のサービスを既に受信して、速度状態を決定するための動作を既に遂行中であったり、或いは、サービスの要請前に速度状態を決定するための動作を継続遂行していたりできる。端末が現在の有効な速度状態情報を持っている場合、端末は、段階Ｓ１３１１において速度状態情報をサービス(或いは、資源／チャンネル)要請情報又はメッセージに載せて基地局に転送した後、段階Ｓ１３２１に進行する。一方、段階Ｓ１３０２において端末が現在の有効な速度状態情報を持っていない場合、端末は、段階Ｓ１３１２においていかなる速度状態情報も含まないサービス(或いは、資源／チャンネル)要請情報又はメッセージを基地局に転送した後、段階Ｓ１３１３において初期速度状態をＵＳＳに設定する。
【０１３１】
図１３ａでは示さなかったが、段階Ｓ１３１２及び段階Ｓ１３１３の変形として、まず、初期速度状態をＵＳＳに設定した後、ＵＳＳに設定されたサービス(或いは、資源／チャンネル)要請情報又はメッセージを基地局に転送できる。このように、端末は、サービスの要請、或いは、サービスのための資源／チャンネルの要請時、現在の有効な速度状態情報がない場合、端末の初期速度状態をＵＳＳに設定する。
【０１３２】
以後、端末は、段階Ｓ１３１４においてシステム情報として提供されたタイマーＴ５、Ｔ６をスタートする。タイマーＴ５、Ｔ６及び後述する数値的な平均速度Ｓ１、Ｓ２は、前述した通りである。段階Ｓ１３２１においてタイマーＴ５が終了した場合、末端は、段階Ｓ１３３１においてタイマーＴ５の間測定された数値的な平均速度がＳ１よりも小さいか否かをチェックする。数値的な平均速度がＳ１よりも小さい場合、端末は、段階Ｓ１３４１において速度状態をＬＳＳに設定する。続いて、段階Ｓ１３５１において以前の速度状態がＬＳＳか否かをチェックする。以前の速度状態がＬＳＳでない場合、端末は、段階Ｓ１３６１において速度状態がＬＳＳに変更されたことを基地局に通報し、段階Ｓ１３７１に進行する。以前の速度状態がＬＳＳである場合、段階Ｓ１３６１を遂行することなく、段階Ｓ１３７１に進行する。端末は、段階Ｓ１３７１においてタイマーＴ５の間測定された数値的な平均速度を初期化し、タイマーＴ５をリスタートした後、段階Ｓ１３２１に戻る。
【０１３３】
一方、段階Ｓ１３３１において数値的な平均速度がＳ１よりも小さくない場合、端末は、段階Ｓ１３３２において現在の速度状態がＨＳＳか否かをチェックする。現在の速度状態がＨＳＳでない場合、端末は、段階Ｓ１３４２において速度状態をＵＳＳに設定し、段階Ｓ１３５２において以前の速度状態がＵＳＳか否かをチェックする。以前の速度状態がＵＳＳでない場合、端末は、段階Ｓ１３６２において速度状態がＵＳＳに変更されたことを基地局に通報し、段階Ｓ１３７１に進行する。段階Ｓ１３５２において以前の速度状態がＵＳＳである場合、段階Ｓ１３６２を遂行することなく、段階Ｓ１３７１に進行する。
【０１３４】
一方、段階Ｓ１３２１においてタイマーＴ５が終了しない場合、端末は、図１３ｂの段階Ｓ１３２２においてタイマーＴ６が終了したか否かを判断する。タイマーＴ６が終了した場合、端末は、段階Ｓ１３３３においてタイマーＴ６の間周期的に測定された数値的な平均速度がＳ２よりも大きいか否かをチェックする。数値的な平均速度がＳ２よりも大きい場合、端末は、段階Ｓ１３４３において速度状態をＨＳＳに設定する。続いて、段階Ｓ１３５３において以前の速度状態がＨＳＳか否かをチェックする。以前の速度状態がＨＳＳでない場合、端末は、段階Ｓ１３６３において速度状態がＨＳＳに変更されたことを基地局に通報し、段階Ｓ１３７２に進行する。以前の速度状態がＨＳＳである場合、段階Ｓ１３６３を遂行することなく、段階Ｓ１３７２に進行する。端末は、段階Ｓ１３７２においてタイマーＴ６の間測定された数値的な平均速度を初期化し、タイマーＴ６をリスタートした後、段階Ｓ１３２１に戻る。
【０１３５】
一方、段階Ｓ１３３３においてタイマーＴ６の間測定された数値的な平均速度Ｓ２よりも大きくない場合、端末は、段階Ｓ１３３４において現在の速度状態がＬＳＳか否かをチェックする。現在の速度状態がＬＳＳでない場合、端末は、段階Ｓ１３４４において速度状態をＵＳＳに設定し、段階Ｓ１３５４において以前の速度状態がＵＳＳか否かをチェックする。以前の速度状態がＵＳＳでない場合、端末は、段階Ｓ１３６４において速度状態がＵＳＳに変更されたことを基地局に通報し、段階Ｓ１３７２に進行する。段階Ｓ１３５４において以前の速度状態がＵＳＳである場合、段階Ｓ１３６４を遂行することなく、段階Ｓ１３７２に進行する。
【０１３６】
前述した本発明で提案する方法は、その説明を容易にするために、直交周波数分割多重接続方式のシステムを例として説明した。しかしながら、本発明は、直交周波数分割多重接続方式のシステムの以外にも、ＤＳ(Direct Spread)−ＣＤＭＡ(Code Division Multiple Access)方式のシステムにおいて複数個の中心キャリア周波数(Center carrier frequency)を使用する場合、すなわち、多重キャリア(Multi-carrier)ＤＳ−ＣＤＭＡ方式でも、同様な方法を適用することが可能である。
【０１３７】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【０１３８】
【図１】通常のＡＭＣ技術を用いる広帯域のＯＦＤＭシステムの一例を示す図である。
【図２】本発明の実施形態によるＡＭＣ動作によってＣＱＩ転送モードを決定するための基地局のブロック構成図である。
【図３】本発明の実施形態によるＣＱＩを転送する端末のブロック構成図である。
【図４】本発明の実施形態による無線通信システムにおけるＣＱＩ転送モードを決定するためのフローチャートである。
【図５】本発明の実施形態による端末要請による転送モードの変化を示すメッセージのフローチャートである。
【図６】本発明の実施形態による基地局の命令に従う転送モードの変化を示すメッセージのフローチャートである。
【図７】本発明の実施形態による端末の速度状態に対して可能なＣＱＩ転送モードを示す図である。
【図８】本発明の第１の実施形態によるＣＱＩの転送動作を示すメッセージのフローチャートである。
【図９ａ】本発明の第２の実施形態によるＣＱＩの転送動作を示すメッセージのフローチャートである。
【図９ｂ】本発明の第２の実施形態によるＣＱＩの転送動作を示すメッセージのフローチャートである。
【図１０】本発明の実施形態によるＣＱＩ転送モードを決定する基地局の動作を示すフローチャートである。
【図１１ａ】本発明の第１の実施形態による速度状態を決定する端末の動作を示すフローチャートである。
【図１１ｂ】本発明の第１の実施形態による速度状態を決定する端末の動作を示すフローチャートである。
【図１２ａ】本発明の第２の実施形態による速度状態を決定する端末の動作を示すフローチャートである。
【図１２ｂ】本発明の第２の実施形態による速度状態を決定する端末の動作を示すフローチャートである。
【図１３ａ】本発明の第３の実施形態による速度状態を決定する端末の動作を示すフローチャートである。
【図１３ｂ】本発明の第３の実施形態による速度状態を決定する端末の動作を示すフローチャートである。
【符号の説明】
【０１３９】
２１１      制御部
２１２      データベース
２１３      上位階層インターフェース
２１４      データ処理部
２１５      多重化器
２１６      無線部
３１１      制御部
３１２      無線部
３１３      基底帯域処理部
３１４      チャンネル品質測定部
３１５      メモリ
３１６      表示部
３１７      キー入力部
３１８      移動性測定部
【図１】
2007068180.tif 000004
【図２】
2007068180.tif 000005
【図３】
2007068180.tif 000006
【図４】
2007068180.tif 000007
【図５】
2007068180.tif 000008
【図６】
2007068180.tif 000009
【図７】
2007068180.tif 000010
【図８】
2007068180.tif 000011
【図９ａ】
2007068180.tif 000012
【図９ｂ】
2007068180.tif 000013
【図１０】
2007068180.tif 000014
【図１１ａ】
2007068180.tif 000015
【図１１ｂ】
2007068180.tif 000016
【図１２ａ】
2007068180.tif 000017
【図１２ｂ】
2007068180.tif 000018
【図１３ａ】
2007068180.tif 000019
【図１３ｂ】
2007068180.tif 000020